(57)【要約】  組成物は、複数のトリアリールメタンロイコ分子を含む。トリアリールメタンロイコ分子は、第１のアルキレンオキシ部分および第２のオキシアルキレン部分を含み、第１のアルキレンオキシ部分の質量分布は、第２のアルキレンオキシ部分の質量分布とは異なる。トリアリールメタンロイコ化合物は、式（Ｃ）を有する。組成物は、複数のトリアリールメタンロイコ分子を含み、組成物中に存在する約５モル％以上のトリアリールメタンロイコ分子は、第２のアルキレンオキシ部分中に存在するアルキレンオキシ繰り返し単位のうちの少なくとも１つを含有しない第１のアルキレンオキシ部分を含む。トリアリールメタンロイコ化合物を作製する方法は、（ａ）芳香族アルデヒド化合物を用意する工程と；（ｂ）第１のオキシアルキレン化アリール化合物を用意する工程と；（ｃ）第２のオキシアルキレン化アリール化合物を用意する工程であり、第２のオキシアルキレン化アリール化合物が、第１のオキシアルキレン化アリール化合物とは異なる、工程と；（ｄ）酸性触媒を用意する工程と；（ｅ）芳香族アルデヒド化合物、第１のオキシアルキレン化化合物および第２のオキシアルキレン化化合物を、酸性触媒の存在下、縮合反応で反応させて、トリアリールメタンロイコ化合物を生成する工程とを含む。【特許請求の範囲】
【請求項１】
複数のトリアリールメタンロイコ分子を含む組成物であって、
（ｉ）それぞれのトリアリールメタンロイコ分子が、第１のアリール部分、第２のアリール部分および第３のアリール部分を含み、前記第１のアリール部分が、それに結合している第１のアルキレンオキシ部分を含み、前記第２のアリール部分が、それに結合している第２のアルキレンオキシ部分を含み；
（ｉｉ）それぞれのトリアリールメタンロイコ分子の前記第１のアルキレンオキシ部分が、質量を有し、前記組成物中の前記複数のトリアリールメタンロイコ分子が、前記第１のアルキレンオキシ部分の質量についての第１の質量分布を有し；
（ｉｉｉ）それぞれのトリアリールメタンロイコ分子の前記第２のアルキレンオキシ部分が、質量を有し、前記組成物中の前記複数のトリアリールメタンロイコ分子が、前記第２のアルキレンオキシ部分の質量についての第２の質量分布を有し；
（ｉｖ）前記第１の質量分布が、第１の最大を有し、前記第２の質量分布が、第２の最大を有し；前記第１の質量分布の前記第１の最大と前記第２の質量分布の前記第２の最大との間の差異が、４４ダルトン以上である、
組成物。
【請求項２】
前記組成物が、式（Ｌ）のトリアリールメタンロイコ化合物を含む、請求項１に記載の組成物。
【化１】
2020537008.tif 000020
［式中、環Ａ、ＦおよびＳのそれぞれの上の個々のＲｏおよびＲｍは、水素、重水素およびＲ５からなる群から独立して選択され；それぞれのＲ５は、ハロゲン、ニトロ、アルキル、置換アルキル、アリール、置換アリール、アルカリル、置換アルカリル、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−ＯＲ１、−ＮＲ１Ｒ２、−Ｐ（Ｏ）２Ｒ１、−Ｐ（Ｏ）（ＯＲ１）２、−Ｐ（Ｏ）（ＯＲ１）Ｏ−、および−Ｐ（Ｏ）（Ｏ−）２からなる群から独立して選択され；３つの環Ａ、ＦまたはＳのうちの少なくとも１つの上のＲｏおよびＲｍ基のうちの少なくとも１つは、水素であり；Ｒｐは、水素、−ＯＲ１および−ＮＲ１Ｒ２から独立して選択され；
Ｇは、水素、重水素、Ｃ１〜Ｃ１６アルコキシド、フェノキシド、ビスフェノキシド、ニトライト、ニトリル、アルキルアミン、イミダゾール、アリールアミン、ポリアルキレンオキシド、ハロゲン化物、アルキルスルフィド、アリールスルフィドおよびホスフィンオキシドからなる群から独立して選択され；
Ｒ１、Ｒ２およびＲ３は、水素、アルキル、置換アルキル、アリール、置換アリール、アルカリル、置換アルカリルおよびＲ４からなる群から独立して選択され、ただし、前記環ＦおよびＳのそれぞれの上のＲ１またはＲ２のうちの少なくとも１つは、Ｒ４であり、Ｒ４は、独立して選択されるアルキレンオキシ部分であり；
前記トリアリールメタンロイコ化合物中に存在する任意の電荷は、好適な独立して選択される内部または外部対イオンと均衡がとれている］
【請求項３】
環Ａ、ＦおよびＳのそれぞれの上のＲｏおよびＲｍが、水素、アルキル、置換アルキル、アリール、置換アリール、アルカリルおよび置換アルカリルからなる群から独立して選択される、請求項２に記載の組成物。
【請求項４】
環Ａ、ＦおよびＳのそれぞれの上のＲｏおよびＲｍが、水素およびアルキルからなる群から独立して選択される、請求項３に記載の組成物。
【請求項５】
Ｒｐが、−ＮＲ１Ｒ２であり、ＲｐのＲ１およびＲ２基が、水素、アルキル、置換アルキル、アリール、置換アリール、アルカリルおよび置換アルカリルからなる群から独立して選択される、請求項１〜４の何れか１項に記載の組成物。
【請求項６】
ＲｐのＲ１およびＲ２基が、アルキルである、請求項５に記載の組成物。
【請求項７】
環Ｆのパラ位にある−ＮＲ１Ｒ２のＲ１およびＲ２が、（ＣＨ２ＣＨ２Ｏ）ｎＨから個別に選択され；添え字ｎが、１〜２０の整数であり；環Ｓのパラ位にある−ＮＲ１Ｒ２のＲ１およびＲ２が、（Ｃ２Ｈ４Ｏ）ｎ（Ｃ３Ｈ６Ｏ）ｑＨから個別に選択され、添え字ｎおよびｑが、それぞれ個別に、１〜２０の整数である、請求項１〜６の何れか１項に記載の組成物。
【請求項８】
Ｇが、水素である、請求項１〜７の何れか１項に記載の組成物。
【請求項９】
式（Ｃ）のトリアリールメタンロイコ化合物。
【化２】
2020537008.tif 000021
［式中、Ｇは、水素、重水素、Ｃ１〜Ｃ１６アルコキシド、フェノキシド、ビスフェノキシド、ニトライト、ニトリル、アルキルアミン、イミダゾール、アリールアミン、ポリアルキレンオキシド、ハロゲン化物、アルキルスルフィド、アリールスルフィドおよびホスフィンオキシドからなる群から独立して選択され；
Ｒ１０３は、水素、−ＯＲ１２０および−ＮＲ１２０Ｒ１２１からなる群から選択され；
Ｒ１０８およびＲ１１３は、−ＯＲ１２２および−ＮＲ１２２Ｒ１２３からなる群から独立して選択され；
それぞれのＲ１２０、Ｒ１２１、Ｒ１２２およびＲ１２３は、アルキル、置換アルキル、アリール、置換アリール、アルカリル、置換アルカリルおよびアルキレンオキシからなる群から独立して選択され；
Ｒ１０１、Ｒ１０２、Ｒ１０４、Ｒ１０５、Ｒ１０６、Ｒ１０７、Ｒ１０９、Ｒ１１０、Ｒ１１１、Ｒ１１２、Ｒ１１４およびＲ１１５は、水素、重水素、ハロゲン、ニトロ、アルキル、置換アルキル、アリール、置換アリール、アルカリル、置換アルカリル、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−ＯＲ１、−ＮＲ１Ｒ２、−Ｐ（Ｏ）２Ｒ１、−Ｐ（Ｏ）（ＯＲ１）２、−Ｐ（Ｏ）（ＯＲ１）Ｏ−、および−Ｐ（Ｏ）（Ｏ−）２からなる群から独立して選択され；
Ｒ１、Ｒ２およびＲ３は、水素、アルキル、置換アルキル、アリール、置換アリール、アルカリル、置換アルカリルおよびＲ４からなる群から独立して選択され；
Ｒ４は、１種以上の有機モノマーで構成される有機基であり、前記モノマーの分子量は、２８〜５００の範囲であり；
ただし、（１）Ｒ１０６およびＲ１１０のうちの少なくとも１つは、Ｒ１１１およびＲ１１５とは異なるか、またはＲ１０７およびＲ１０９のうちの少なくとも１つは、Ｒ１１２およびＲ１１４とは異なり；（２）Ｒ１０３が−ＯＲ１２０であり、Ｒ１０８およびＲ１１３がそれぞれ−ＯＲ１２２であるならば、Ｒ１０６およびＲ１１０のうちの少なくとも１つは、Ｒ１０１およびＲ１０５とは異なるか、またはＲ１０７およびＲ１０９のうちの少なくとも１つは、Ｒ１０２およびＲ１０４とは異なり；（３）Ｒ１０３が−ＮＲ１２０Ｒ１２１であり、Ｒ１０８およびＲ１１３がそれぞれ−ＮＲ１２２Ｒ１２３であるならば、Ｒ１０６およびＲ１１０のうちの少なくとも１つは、Ｒ１０１およびＲ１０５とは異なるか、またはＲ１０７およびＲ１０９のうちの少なくとも１つは、Ｒ１０２およびＲ１０４とは異なる］
【請求項１０】
Ｒ１０１、Ｒ１０２、Ｒ１０４、Ｒ１０５、Ｒ１０６、Ｒ１０７、Ｒ１０９、Ｒ１１０、Ｒ１１１、Ｒ１１２、Ｒ１１４およびＲ１１５が、水素、アルキル、置換アルキル、アリール、置換アリール、アルカリルおよび置換アルカリルからなる群から独立して選択される、請求項９に記載のトリアリールメタンロイコ化合物。
【請求項１１】
Ｒ１０１、Ｒ１０２、Ｒ１０４、Ｒ１０５、Ｒ１０６、Ｒ１０７、Ｒ１０９、Ｒ１１０、Ｒ１１１、Ｒ１１２、Ｒ１１４およびＲ１１５が、水素およびアルキルからなる群から独立して選択される、請求項１０に記載のトリアリールメタンロイコ化合物。
【請求項１２】
Ｒ１０３が、−ＮＲ１２０Ｒ１２１であり、それぞれのＲ１２０およびＲ１２１が、独立して選択されるアルキルである、請求項９〜１１の何れか１項に記載のトリアリールメタンロイコ化合物。
【請求項１３】
Ｒ１０８およびＲ１１３が、−ＮＲ１２２Ｒ１２３である、請求項１２に記載のトリアリールメタンロイコ化合物。
【請求項１４】
それぞれのＲ１２２およびＲ１２３が、−（Ｃ２Ｈ４Ｏ）ａＨおよび−（Ｃ２Ｈ４Ｏ）ｃ（Ｃ３Ｈ６Ｏ）ｅＨから独立して選択され、ここで、ａ、ｃおよびｅは、正の自然数からなる群から独立して選択される整数である、請求項９〜１３の何れか１項に記載のトリアリールメタンロイコ化合物。
【請求項１５】
ａ、ｃおよびｅが、１〜２０の独立して選択される整数である、請求項１４に記載のトリアリールメタンロイコ化合物。
【請求項１６】
Ｇが、水素である、請求項９〜１５の何れか１項に記載のトリアリールメタンロイコ化合物。
【請求項１７】
複数のトリアリールメタンロイコ分子を含む組成物であって、
（ｉ）それぞれのトリアリールメタンロイコ分子が、第１のアリール部分、第２のアリール部分および第３のアリール部分を含み、前記第１のアリール部分が、それに結合している第１のアルキレンオキシ部分を含み、前記第２のアリール部分が、それに結合している第２のアルキレンオキシ部分を含み；
（ｉｉ）前記第１のアルキレンオキシ部分が、エチレンオキシド、プロピレンオキシドおよびブチレンオキシドからなる群から選択される少なくとも１つのアルキレンオキシ繰り返し単位を含み；
（ｉｉｉ）前記第２のアルキレンオキシ部分が、エチレンオキシド、プロピレンオキシドおよびブチレンオキシドからなる群から選択される少なくとも１つのアルキレンオキシ繰り返し単位を含み；
（ｉｖ）前記組成物中に存在する約５モル％以上の前記トリアリールメタンロイコ分子が、前記第２のアルキレンオキシ部分中に存在する前記アルキレンオキシ繰り返し単位のうちの少なくとも１つを含有しない第１のアルキレンオキシ部分を含む、
組成物。
【請求項１８】
前記組成物中に存在する約５モル％以上の前記トリアリールメタンロイコ分子が、１つ以上のプロピレンオキシド基を含む第２のアルキレンオキシ部分、およびいかなるプロピレンオキシド基も含まない第１のアルキレンオキシ部分を含む、請求項１７に記載の組成物。
【請求項１９】
前記組成物中に存在する約５モル％以上の前記トリアリールメタンロイコ分子が、１つ以上のエチレンオキシド繰り返し単位からなる第１のアルキレンオキシ部分および少なくとも１つのプロピレンオキシド繰り返し単位を含む第２のアルキレンオキシ部分を含む、請求項１７または１８に記載の組成物。
【請求項２０】
前記組成物中に存在する約５モル％以上の前記トリアリールメタンロイコ分子が、式（ＣＣ）の化合物である、請求項１９に記載の組成物。
【化３】
2020537008.tif 000022
［式中、Ｇは、水素、重水素、Ｃ１〜Ｃ１６アルコキシド、フェノキシド、ビスフェノキシド、ニトライト、ニトリル、アルキルアミン、イミダゾール、アリールアミン、ポリアルキレンオキシド、ハロゲン化物、アルキルスルフィド、アリールスルフィドおよびホスフィンオキシドからなる群から独立して選択され；
Ｒ２０１、Ｒ２０２、Ｒ２０４、Ｒ２０５、Ｒ２０６、Ｒ２０７、Ｒ２０９、Ｒ２１０、Ｒ２１１、Ｒ２１２、Ｒ２１４およびＲ２１５は、水素、重水素、ハロゲン、ニトロ、アルキル、置換アルキル、アリール、置換アリール、アルカリルおよび置換アルカリルからなる群から独立して選択され；
Ｒ２０３は、水素、−ＯＲ２２０および−ＮＲ２２０Ｒ２２１からなる群から選択され；
それぞれのＲ２２０およびＲ２２１は、アルキル、置換アルキル、アリール、置換アリール、アルカリル、置換アルカリルおよびアルキレンオキシからなる群から独立して選択され；
Ｒ２０８は、−ＯＲ２２２および−ＮＲ２２２Ｒ２２３からなる群から選択され；
それぞれのＲ２２２およびＲ２２３は、１つ以上のエチレンオキシド基からなるアルキレンオキシ基であり；
Ｒ２１３は、−ＯＲ２２４および−ＮＲ２２４Ｒ２２５からなる群から選択され；
それぞれのＲ２２４およびＲ２２５は、少なくとも１つのプロピレンオキシド基を含むアルキレンオキシ基である］
【請求項２１】
トリアリールメタンロイコ化合物を作製する方法であって、
（ａ）芳香族アルデヒド化合物を用意する工程と；
（ｂ）第１のオキシアルキレン化アリール化合物を用意する工程と；
（ｃ）第２のオキシアルキレン化アリール化合物を用意する工程であり、前記第２のオキシアルキレン化アリール化合物が、前記第１のオキシアルキレン化アリール化合物とは異なる、工程と；
（ｄ）酸性触媒を用意する工程と；
（ｅ）前記芳香族アルデヒド化合物、前記第１のオキシアルキレン化化合物および前記第２のオキシアルキレン化化合物を、前記酸性触媒の存在下、縮合反応で反応させて、前記トリアリールメタンロイコ化合物を生成する工程と
を含む、方法。
【請求項２２】
前記芳香族アルデヒド化合物が、式（ＣＩ）の化合物である、請求項２１に記載の方法。
【化４】
2020537008.tif 000023
［式中、Ｒ１０１、Ｒ１０２、Ｒ１０４およびＲ１０５は、水素、重水素、ハロゲン、ニトロ、アルキル、置換アルキル、アリール、置換アリール、アルカリル、置換アルカリル、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−ＯＲ１、−ＮＲ１Ｒ２、−Ｐ（Ｏ）２Ｒ１、−Ｐ（Ｏ）（ＯＲ１）２、−Ｐ（Ｏ）（ＯＲ１）Ｏ−、および−Ｐ（Ｏ）（Ｏ−）２からなる群から独立して選択され；
Ｒ１、Ｒ２およびＲ３は、水素、アルキル、置換アルキル、アリール、置換アリール、アルカリル、置換アルカリルおよびＲ４からなる群から独立して選択され；
Ｒ４は、１種以上の有機モノマーで構成される有機基であり、前記モノマーの分子量は、２８〜５００の範囲であり；
Ｒ１０３は、水素、−ＯＲ１２０および−ＮＲ１２０Ｒ１２１からなる群から選択され；
それぞれのＲ１２０およびＲ１２１は、アルキル、置換アルキル、アリール、置換アリール、アルカリル、置換アルカリルおよびアルキレンオキシからなる群から独立して選択される］
【請求項２３】
Ｒ１０１、Ｒ１０２、Ｒ１０４およびＲ１０５が、水素、アルキル、置換アルキル、アリール、置換アリール、アルカリルおよび置換アルカリルからなる群から独立して選択される、請求項２２に記載の方法。
【請求項２４】
Ｒ１０１、Ｒ１０２、Ｒ１０４およびＲ１０５が、水素およびアルキルからなる群から独立して選択される、請求項２３に記載の方法。
【請求項２５】
Ｒ１０３が、−ＮＲ１２０Ｒ１２１であり、それぞれのＲ１２０およびＲ１２１が、独立して選択されるアルキルである、請求項２２〜２４の何れか１項に記載の方法。
【請求項２６】
前記第１のアルキレンオキシアリール化合物が、式（ＣＶ）の化合物であり、前記第２のアルキレンオキシアリール化合物が、式（ＣＸ）の化合物である、請求項２１〜２５の何れか１項に記載の方法。
【化５】
2020537008.tif 000024
［式中、Ｒ１０６、Ｒ１０７、Ｒ１０９、Ｒ１１０、Ｒ１１１、Ｒ１１２、Ｒ１１４およびＲ１１５は、水素、重水素、ハロゲン、ニトロ、アルキル、置換アルキル、アリール、置換アリール、アルカリル、置換アルカリル、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−ＯＲ１、−ＮＲ１Ｒ２、−Ｐ（Ｏ）２Ｒ１、−Ｐ（Ｏ）（ＯＲ１）２、−Ｐ（Ｏ）（ＯＲ１）Ｏ−、および−Ｐ（Ｏ）（Ｏ−）２からなる群から独立して選択され；
Ｒ１、Ｒ２およびＲ３は、水素、アルキル、置換アルキル、アリール、置換アリール、アルカリル、置換アルカリルおよびＲ４からなる群から独立して選択され；
Ｒ４は、１種以上の有機モノマーで構成される有機基であり、前記モノマーの分子量は、２８〜５００の範囲であり；
Ｒ１０８およびＲ１１３は、−ＯＲ１２２および−ＮＲ１２２Ｒ１２３からなる群から独立して選択され；
Ｒ１２２およびＲ１２３は、独立して選択されるアルキレンオキシであり；それぞれのアルキレンオキシは、アルキレンオキシ繰り返し単位の分布を有し；
ただし、Ｒ１０８およびＲ１１３が両方とも−ＯＲ１２２または−ＮＲ１２２Ｒ１２３であり、それぞれのＲ１２２およびＲ１２３がアルキレンオキシ繰り返し単位の同じ分布を有するならば、Ｒ１０６およびＲ１１０のうちの少なくとも１つは、Ｒ１１１およびＲ１１５とは異なるか、またはＲ１０７およびＲ１０９のうちの少なくとも１つは、Ｒ１１２およびＲ１１４とは異なる］
【請求項２７】
Ｒ１０６、Ｒ１０７、Ｒ１０９、Ｒ１１０、Ｒ１１１、Ｒ１１２、Ｒ１１４およびＲ１１５が、水素、アルキル、置換アルキル、アリール、置換アリール、アルカリル、置換アルカリルからなる群から独立して選択される、請求項２６に記載の方法。
【請求項２８】
Ｒ１０６、Ｒ１０７、Ｒ１０９、Ｒ１１０、Ｒ１１１、Ｒ１１２、Ｒ１１４およびＲ１１５が、水素およびアルキルからなる群から独立して選択される、請求項２７に記載の方法。
【請求項２９】
Ｒ１０８およびＲ１１３が、−ＮＲ１２２Ｒ１２３である、請求項２６〜２８の何れか１項に記載の方法。
【請求項３０】
前記第１のオキシアルキレン化アリール化合物が、アルキレンオキシ繰り返し単位の第１の分布を有し、前記第２のオキシアルキレン化アリール化合物が、アルキレンオキシ繰り返し単位の第２の分布を有し、前記アルキレンオキシ繰り返し単位の第１の分布が、前記アルキレンオキシ繰り返し単位の第２の分布とは異なる、請求項２１〜２９の何れか１項に記載の方法。
【請求項３１】
Ｒ１０８が、
【化６】
2020537008.tif 000025
であり、
ａおよびｂが、ゼロおよび正の自然数からなる群から選択される整数であり；ａおよびｂの和が、１以上であり、
Ｒ１１３が、
【化７】
2020537008.tif 000026
であり、
ｃ、ｄ、ｅおよびｆが、ゼロおよび正の自然数からなる群から選択される整数であり；ｅおよびｆの和が、１以上である、
請求項２６〜３０の何れか１項に記載の方法。
【発明の詳細な説明】
【技術分野】
【０００１】
本出願は、ロイコ組成物、そのようなロイコ組成物を含有する洗濯ケア組成物、ならびにテキスタイル物品の洗濯におけるそのような組成物の使用について記載する。これらのタイプの組成物は、安定した、実質的に無色の状態で提供され、次いで、ある特定の物理的または化学的変化への曝露、たとえば酸素への曝露、イオン添加、光への曝露などの時に、強い着色状態に転換され得る。ロイコ化合物を含有する洗濯ケア組成物は、洗濯ケア組成物で洗浄もしくは別様に処理したテキスタイル物品の明らかなもしくは視覚的に認識される白さを増強するように、またはそれらに所望の色相を付与するように、設計される。
背景
テキスタイル基材が経年するにつれて、それらの色は、基材を含む繊維の、光、空気、汚れへの曝露、および自然劣化により、褪せるまたは黄ばむ傾向がある。そのため、これらのテキスタイル基材を視覚的に増強し、色褪せおよび黄ばみに対抗するために、消費者製品を着色するためのポリマー性着色剤の使用が先行技術において周知となった。たとえば、テキスタイル用途において、光学的増白剤または青味剤の何れかの白色化剤を使用することが周知である。しかし、伝統的な白色化剤は、他の調合成分（たとえば香料など）と有害な相互反応を生じることに起因して、保存の際に有効性を喪失する傾向がある。さらに、そのような白色化剤は、テキスタイル基材上に堆積しにくいという欠点を有している場合がある。したがって、調合者は、保存の際の任意の有効性の喪失に対抗するために使用される白色化剤のレベルを増大し、かつ／またはテキスタイル基材上に堆積させるのに利用可能な白色化剤の量を増大する傾向がある。
【０００２】
ロイコ染料も、具体的な化学的または物理的な誘因への曝露時に、無色またはわずかに着色した状態から着色状態への変化を呈することが、先行技術において公知である。出現する彩色の変化は、典型的には、ヒトの目に視覚的に知覚可能である。これらの化合物の多くは、可視光領域（４００〜７５０ｎｍ）において若干の吸光度を有し、故に、多かれ少なかれ、若干の色を有する。本発明において、染料は、その適用濃度および条件では顕著な色を生じさせず、その誘発された形態では顕著な色を生じさせるならば、「ロイコ染料」とみなされる。誘発時の色変化は、４００〜７５０ｎｍの範囲内、好ましくは５００〜６５０ｎｍの範囲内、最も好ましくは５３０〜６２０ｎｍの範囲内で、ロイコ染料分子のモル減衰係数（いくつかの文献において、モル吸光係数、モル吸収係数および／またはモル吸収率としても公知である）の変化から生じる。誘発前後におけるロイコ染料のモル減衰係数の増大は、５０％より大きい、より好ましくは２００％より大きい、最も好ましくは５００％より大きいものとなるべきである。
【０００３】
ロイコ化合物は、洗濯ケア組成物（たとえば、洗濯洗剤）において白色化剤として使用され得る。そのような使用において、無着色または軽く着色されているだけの状態であるロイコ化合物の添加は、洗濯ケア組成物の美観に有意に影響を及ぼさない。次いで、ロイコ化合物は、着色状態に変換することができ、これにより、テキスタイル基材に所望の白さという利益を付与する。そのような使用において特に有用であることが分かっているロイコ化合物の１つのクラスは、トリアリールメタンロイコ化合物である。そのような用途において、それぞれの化合物に結合している異なるポリマー性基を有するトリアリールメタンロイコ化合物の幅広い分布を利用することが、時に有益である。典型的には、これは、個別に合成されたトリアリールメタンロイコ化合物の混和物を必要とし、そのそれぞれは、標的分布の一部をカバーする。一連のそのような個別に合成されたトリアリールメタンロイコ化合物を生成することは、冗長になり得る。故に、合理化された合成アプローチおよびそのようなアプローチによって生成される組成物を提供する継続的な必要性がある。
【０００４】
このたび、驚くべきことに、ポリマー性トリアリールメタンロイコ化合物の幅広い分布を含有する組成物が、狭い分布を持つ一連の個々のトリアリールメタンロイコ化合物を合成するよりもむしろ、合成中に好適な数の芳香族カップラーを混和することによって取得され得ることが分かった。
発明の概要
第１の態様において、本発明は、複数のトリアリールメタンロイコ分子を含む組成物であって、（ｉ）それぞれのトリアリールメタンロイコ分子が、第１のアリール部分、第２のアリール部分および第３のアリール部分を含み、第１のアリール部分が、それに結合している第１のアルキレンオキシ部分を含み、第２のアリール部分が、それに結合している第２のアルキレンオキシ部分を含み；（ｉｉ）それぞれのトリアリールメタンロイコ分子の第１のアルキレンオキシ部分が、質量を有し、組成物中の複数のトリアリールメタンロイコ分子が、第１のアルキレンオキシ部分の質量についての第１の質量分布を有し；（ｉｉｉ）それぞれのトリアリールメタンロイコ分子の第２のアルキレンオキシ部分が、質量を有し、組成物中の複数のトリアリールメタンロイコ分子が、第２のアルキレンオキシ部分の質量についての第２の質量分布を有し；（ｉｖ）第１の質量分布が、第１の最大を有し、第２の質量分布が、第２の最大を有し；第１の質量分布の第１の最大と第２の質量分布の第２の最大との間の差異が、４４ダルトン以上である、組成物を提供する。
【０００５】
第２の態様において、本発明は、式（Ｃ）のトリアリールメタンロイコ化合物
【０００６】
【化１】
2020537008.tif 000002
【０００７】
［式中、Ｇは、水素、重水素、Ｃ１〜Ｃ１６アルコキシド、フェノキシド、ビスフェノキシド、ニトライト、ニトリル、アルキルアミン、イミダゾール、アリールアミン、ポリアルキレンオキシド、ハロゲン化物、アルキルスルフィド、アリールスルフィドおよびホスフィンオキシドからなる群から独立して選択され；
Ｒ１０３は、水素、−ＯＲ１２０および−ＮＲ１２０Ｒ１２１からなる群から選択され；
Ｒ１０８およびＲ１１３は、−ＯＲ１２２および−ＮＲ１２２Ｒ１２３からなる群から独立して選択され；
それぞれのＲ１２０、Ｒ１２１、Ｒ１２２およびＲ１２３は、アルキル、置換アルキル、アリール、置換アリール、アルカリル、置換アルカリルおよびアルキレンオキシからなる群から独立して選択され；
Ｒ１０１、Ｒ１０２、Ｒ１０４、Ｒ１０５、Ｒ１０６、Ｒ１０７、Ｒ１０９、Ｒ１１０、Ｒ１１１、Ｒ１１２、Ｒ１１４およびＲ１１５は、水素、重水素、ハロゲン、ニトロ、アルキル、置換アルキル、アリール、置換アリール、アルカリル、置換アルカリル、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−ＯＲ１、−ＮＲ１Ｒ２、−Ｐ（Ｏ）２Ｒ１、−Ｐ（Ｏ）（ＯＲ１）２、−Ｐ（Ｏ）（ＯＲ１）Ｏ−、および−Ｐ（Ｏ）（Ｏ−）２からなる群から独立して選択され；
Ｒ１、Ｒ２およびＲ３は、水素、アルキル、置換アルキル、アリール、置換アリール、アルカリル、置換アルカリルおよびＲ４からなる群から独立して選択され；
Ｒ４は、１種以上の有機モノマーで構成される有機基であり、前記モノマーの分子量は、２８〜５００の範囲であり；
ただし、（１）Ｒ１０６およびＲ１１０のうちの少なくとも１つは、Ｒ１１１およびＲ１１５とは異なるか、またはＲ１０７およびＲ１０９のうちの少なくとも１つは、Ｒ１１２およびＲ１１４とは異なり；（２）Ｒ１０３が−ＯＲ１２０であり、Ｒ１０８およびＲ１１３がそれぞれ−ＯＲ１２２であるならば、Ｒ１０６およびＲ１１０のうちの少なくとも１つは、Ｒ１０１およびＲ１０５とは異なるか、またはＲ１０７およびＲ１０９のうちの少なくとも１つは、Ｒ１０２およびＲ１０４とは異なり；（３）Ｒ１０３が−ＮＲ１２０Ｒ１２１であり、Ｒ１０８およびＲ１１３がそれぞれ−ＮＲ１２２Ｒ１２３であるならば、Ｒ１０６およびＲ１１０のうちの少なくとも１つは、Ｒ１０１およびＲ１０５とは異なるか、またはＲ１０７およびＲ１０９のうちの少なくとも１つは、Ｒ１０２およびＲ１０４とは異なる］
を提供する。
【０００８】
第３の態様において、本発明は、複数のトリアリールメタンロイコ分子を含む組成物であって、（ｉ）それぞれのトリアリールメタンロイコ分子が、第１のアリール部分、第２のアリール部分および第３のアリール部分を含み、第１のアリール部分が、それに結合している第１のアルキレンオキシ部分を含み、第２のアリール部分が、それに結合している第２のアルキレンオキシ部分を含み；（ｉｉ）第１のアルキレンオキシ部分が、エチレンオキシド、プロピレンオキシドおよびブチレンオキシドからなる群から選択される少なくとも１つのアルキレンオキシ繰り返し単位を含み；（ｉｉｉ）第２のアルキレンオキシ部分が、エチレンオキシド、プロピレンオキシドおよびブチレンオキシドからなる群から選択される少なくとも１つのアルキレンオキシ繰り返し単位を含み；（ｉｖ）組成物中に存在する約５モル％以上のトリアリールメタンロイコ分子が、第２のアルキレンオキシ部分中に存在するアルキレンオキシ繰り返し単位のうちの少なくとも１つを含有しない第１のアルキレンオキシ部分を含む、組成物を提供する。
【０００９】
第４の態様において、本発明は、トリアリールメタンロイコ化合物を作製する方法を提供する。方法は、（ａ）芳香族アルデヒド化合物を用意する工程と；（ｂ）第１のオキシアルキレン化アリール化合物を用意する工程と；（ｃ）第２のオキシアルキレン化アリール化合物を用意する工程であり、第２のオキシアルキレン化アリール化合物が、第１のオキシアルキレン化アリール化合物とは異なる、工程と；（ｄ）酸性触媒を用意する工程と；（ｅ）芳香族アルデヒド化合物、第１のオキシアルキレン化化合物および第２のオキシアルキレン化化合物を、酸性触媒の存在下、縮合反応で反応させて、トリアリールメタンロイコ化合物を生成する工程とを含む。
詳細な説明
定義
ここで使用される場合、用語「アルコキシ」は、繰り返し単位を有するポリオールのＣ１〜Ｃ８アルコキシおよびアルコキシ誘導体、たとえばブチレンオキシド、グリシドールオキシド、エチレンオキシドまたはプロピレンオキシドを含むように意図されている。
【００１０】
ここで使用される場合、交換可能な用語「アルキレンオキシ」および「オキシアルキレン」ならびに交換可能な用語「ポリアルキレンオキシ」および「ポリオキシアルキレン」は、概して、下記の繰り返し単位：−Ｃ２Ｈ４Ｏ−、−Ｃ３Ｈ６Ｏ−、−Ｃ４Ｈ８Ｏ−、およびそれらの任意の組合せの１つ以上をそれぞれ含有する分子構造を指す。これらの基に対応する非限定的な構造は、たとえば、−ＣＨ２ＣＨ２Ｏ−、−ＣＨ２ＣＨ２ＣＨ２Ｏ−、−ＣＨ２ＣＨ２ＣＨ２ＣＨ２Ｏ−、−ＣＨ２ＣＨ（ＣＨ３）Ｏ−および−ＣＨ２ＣＨ（ＣＨ２ＣＨ３）Ｏ−を含む。さらに、ポリオキシアルキレン構成要素は、Ｃ２〜２０アルキレンオキシ基、グリシジル基、またはそれらの混合物から選択される１つ以上のモノマーからなる群から選択されていてもよい。
【００１１】
用語「エチレンオキシド」、「プロピレンオキシド」および「ブチレンオキシド」は、「ＥＯ」、「ＰＯ」および「ＢＯ」というそれらの典型的な呼称によってそれぞれここで示されていてもよい。
【００１２】
ここで使用される場合、用語「アルキル」および「アルキルでキャップされた」は、置換されているまたは無置換の炭化水素から水素原子を除去することによって形成された任意の一価の基を意味するように意図されている。非限定的な例は、Ｃ１〜Ｃ１８アルキル基および一側面においてＣ１〜Ｃ６アルキル基を含む、分枝または無分枝、置換されているまたは無置換のヒドロカルビル部分を含む。
【００１３】
ここで使用される場合、別段の定めがない限り、用語「アリール」は、Ｃ３〜Ｃ１２アリール基を含むように意図されている。用語「アリール」は、炭素環式とヘテロ環式の両方のアリール基を指す。
【００１４】
ここで使用される場合、用語「アルカリル」は、任意のアルキル置換アリール置換基およびアリール置換アルキル置換基を指す。より具体的に、該用語は、追加の置換基を含んでいても含んでいなくてもよい、Ｃ７〜１６アルキル置換アリール置換基およびＣ７〜１６アリール置換アルキル置換基を指すように意図されている。
【００１５】
ここで使用される場合、用語「洗剤組成物」は、洗濯ケア組成物のサブセットであり、織物を洗濯するための製品を含むがこれに限定されないクリーニング組成物を含む。そのような組成物は、洗浄工程の前に使用するための前処理組成物であってもよいし、リンス添加組成物、ならびにクリーニング補助剤、たとえば漂白添加剤および「ステインスティック」または前処理型であってもよい。
【００１６】
ここで使用される場合、用語「洗濯ケア組成物」は、別段の指示がない限り、織物を洗濯するための製品、織物柔軟組成物、織物増強組成物、織物清浄組成物ならびに織物のケアおよび維持のための他の製品を含むがこれらに限定されない、顆粒、粉末、液体、ゲル、ペースト、一回量包装、バー形態および／またはフレーク型の洗浄剤および／または織物処理組成物、ならびにそれらの組合せを含む。そのような組成物は、洗浄工程の前に使用するための前処理組成物であってもよいし、リンス添加組成物、ならびにクリーニング補助剤、たとえば漂白添加剤および／もしくは「ステインスティック」または前処理組成物もしくは基材を含んだ製品、たとえばドライヤー添加シートであってもよい。
【００１７】
ここで使用される場合、用語「ロイコ」（たとえば、化合物、部分、ラジカル、染料、モノマー、フラグメントまたはポリマーに関して使用される場合）は、具体的な化学的または物理的な誘因への曝露時に、第１の色状態（たとえば、無着色または実質的に無色）から第２のより高度に着色した状態へのシフトをもたらす１つ以上の化学的および／または物理的変化を受ける、実体（たとえば、有機化合物またはその一部）を指す。好適な化学的または物理的な誘因は、酸化、ｐＨ変化、温度変化、および電磁放射線（たとえば、光）曝露における変化を含むがこれらに限定されない。ロイコ実体において出現する好適な化学的または物理的変化は、酸化および非酸化的変化、たとえば分子内環化を含むがこれらに限定されない。故に、一側面において、好適なロイコ実体は、発色団の可逆的に還元された形態であり得る。一側面において、ロイコ部分は、好ましくは、上述した化学的および／または物理的な誘因の１つ以上への曝露時に、第１および第２の□系を組み込む、第３の合わさったコンジュゲート□系に変換されることができる、前記第１および第２の□系を少なくとも含む。
【００１８】
ここで使用される場合、用語「ロイコ組成物」または「ロイコ着色剤組成物」は、ここでさらに詳細に記載されている通りの、独立して選択される構造を有する少なくとも２種のロイコ化合物を含む、組成物を指す。
【００１９】
ここで使用される場合、ロイコ着色剤の「平均分子量」は、その分子量分布によって決定される通り、重量平均分子量として報告され、それらの製造プロセスの結果として、ここで開示されているロイコ着色剤は、それらのポリマー部分に繰り返し単位の分布を含有していてもよい。
【００２０】
ここで使用される場合、用語「最大吸光係数」および「最大モル吸光係数」は、４００ナノメートル〜７５０ナノメートルの範囲内の、最大吸収（ここで、最大波長とも称される）の波長におけるモル吸光係数を記載するように意図されている。
【００２１】
ここで使用される場合、用語「第１の色」は、誘発前の洗濯ケア組成物の色を指すために使用され、無色および実質的に無色を含む任意の色を含むように意図されている。
【００２２】
ここで使用される場合、用語「第２の色」は、誘発後の洗濯ケア組成物の色を指すために使用され、視覚的検査、または分析技術、たとえば分光光度分析の使用を介しての何れかで、洗濯ケア組成物の第１の色から識別可能な任意の色を含むように意図されている。
【００２３】
ここで使用される場合、用語「変換剤」は、その公知の形態（一重項および三重項状態）の何れかにおける分子酸素以外の、当技術分野において公知である任意の酸化剤を指す。
【００２４】
ここで使用される場合、用語「誘発剤」は、ロイコ組成物を、無色または実質的に無色の状態から着色状態に変換するために好適な反応物質を指す。
【００２５】
ここで使用される場合、用語「白色化剤」は、白色綿において、布に、２１０〜３４５の相対色相角、またはさらには２４０〜３２０の相対色相角、またはさらには２５０〜３００（たとえば、２５０〜２９０）の相対色相角を持つ色相を提供する場合の、染料または誘発されると染料を形成し得るロイコ着色剤を指す。
【００２６】
ここで使用される場合、「セルロース系基材」は、重量で少なくとも過半数のセルロースを含む任意の基材を含むように意図されている。セルロースは、木材、綿、リネン、ジュートおよびヘンプにおいて見出すことができる。セルロース系基材は、粉末、繊維、パルプ、ならびに粉末、繊維およびパルプから形成された物品の形態であってもよい。セルロース系繊維は、限定されないが、綿、レーヨン（再生セルロース）、アセテート（セルロースアセテート）、トリアセテート（セルローストリアセテート）、およびそれらの混合物を含む。セルロース系繊維から形成された物品は、テキスタイル物品、たとえば織物を含む。パルプから形成された物品は、紙を含む。
【００２７】
ここで使用される場合、冠詞、たとえば「ａ」および「ａｎ」は、請求項において使用される場合、特許請求されているまたは記載されているものの１つ以上を意味すると理解される。
【００２８】
ここで使用される場合、用語「を含む（include/s）」および「を含む（including）」は、非限定的であることを意味する。
【００２９】
ここで使用される場合、用語「固体」は、顆粒、粉末、バーおよび錠剤製品形態を含む。
【００３０】
ここで使用される場合、用語「流体」は、液体、ゲル、ペーストおよびガス製品形態を含む。
【００３１】
本出願の試験方法の項において開示されている試験方法は、出願人らの発明のパラメーターのそれぞれの値を決定するために使用されるべきである。
【００３２】
別段の注記がない限り、すべての成分または組成物レベルは、その成分または組成物の活性部を参照しており、そのような成分または組成物の市販の供給源において存在し得る、不純物、たとえば残留溶媒または副産物を除外する。
【００３３】
すべてのパーセンテージおよび比は、別段の指示がない限り、重量で算出される。すべてのパーセンテージおよび比は、別段の指示がない限り、全組成に基づいて算出される。
【００３４】
一側面において、２００〜１，０００ｎｍ（より好ましくは４００〜７５０ｎｍ）の範囲内の波長における最大吸光度での前記第２の着色状態のモル吸光係数は、第２の着色状態の最大吸光度の波長における前記第１の色状態の、好ましくは少なくとも５倍、より好ましくは１０倍、さらに一層好ましくは２５倍、最も好ましくは少なくとも５０倍の、モル吸光係数である。好ましくは、２００〜１，０００ｎｍ（より好ましくは４００〜７５０ｎｍ）の範囲内の波長における最大吸光度での前記第２の着色状態のモル吸光係数は、対応する波長範囲内の前記第１の色状態の、少なくとも５倍、好ましくは１０倍、さらに一層好ましくは２５倍、最も好ましくは少なくとも５０倍の、最大モル吸光係数である。
当業者は、これらの比がはるかに高くてもよいことに気付くであろう。たとえば、第１の色状態は、４００〜７５０ｎｍの範囲内の波長で、わずか１０Ｍ−１ｃｍ−１の最大モル吸光係数を有していてもよく、第２の着色状態は、４００〜７５０ｎｍの範囲内の波長で、８０，０００Ｍ−１ｃｍ−１以上もの最大モル吸光係数を有していてもよく、この場合には、吸光係数の比は、８，０００：１以上となるであろう。
【００３５】
一側面において、４００〜７５０ｎｍの範囲内の波長における前記第１の色状態の最大モル吸光係数は、１０００Ｍ−１ｃｍ−１未満であり、４００〜７５０ｎｍの範囲内の波長における前記第２の着色状態の最大モル吸光係数は、５，０００Ｍ−１ｃｍ−１超、好ましくは１０，０００、２５，０００、５０，０００またはさらには１００，０００Ｍ−１ｃｍ−１超である。当業者は、１つを超えるロイコ部分を含むポリマーが、第１の色状態において有意に高い最大モル吸光係数を有していてもよい（たとえば、ロイコ部分の多様性の相加効果または第２の着色状態に変換された１つ以上のロイコ部分の存在により）ことを認識し、理解するであろう。
【００３６】
本発明は、テキスタイル基材を白くする青色の色相を提供するための、洗濯ケア組成物、たとえば液体洗濯洗剤において使用するために有用となり得るロイコ着色剤のクラスに関する。ロイコ着色剤は、本質的に無色または軽く着色されているだけであるが、活性化時に強い色を展開することができる化合物である。洗濯ケア組成物においてロイコ化合物を使用することの１つの利点は、そのような化合物が、活性化されるまで無色であり、洗濯ケア組成物にその独自の色を呈させることである。ロイコ着色剤は、概して、洗濯ケア組成物の原色を改変しない。故に、そのような組成物の製造業者は、添加される原料、たとえば青味剤が、組成物の最終的な明度に影響を及ぼすことを考慮せずに、消費者にとって最も魅力的である色を調合することができる。
【００３７】
上述の通り、第１の態様において、本発明は、複数のトリアリールメタンロイコ分子を含む組成物を提供する。それぞれのトリアリールメタンロイコ分子は、第１のアリール部分、第２のアリール部分および第３のアリール部分を含む。第１のアリール部分は、それに結合している第１のアルキレンオキシ部分を含み、第２のアリール部分は、それに結合している第２のアルキレンオキシ部分を含む。アルキレンオキシ部分は、アリール部分の任意の好適な位置で、任意の好適な連結基を介して、第１および第２のアリール部分に結合することができる。たとえば、第１および第２のアリール部分がフェニルである場合、アルキレンオキシ部分は、トリアリールメタンロイコ分子の中心炭素原子との結合に対してメタ位またはパラ位の何れかで、フェニル部分に結合することができる。好ましくは、アルキレンオキシ部分は、トリアリールメタンロイコ分子の中心炭素原子との結合に対してパラ位でフェニル部分に結合している。さらに、アルキレンオキシ部分は、たとえば、連結基として働く酸素原子または窒素原子を介して、アリール部分に結合することができる。アルキレンオキシ部分が連結基としての窒素原子に結合している場合、窒素原子は、第二級窒素原子（すなわち、アリール部分およびアルキレンオキシ部分に加えて、それに結合している１個の水素原子を有する）または第三級窒素原子（すなわち、追加のオルガニル基とともに、それに結合しているアリール部分およびアルキレンオキシ部分を有する）の何れかであってもよい。連結基が窒素原子である場合、窒素原子は、好ましくは、アリール部分に、および一緒になって上述したアルキレンオキシ部分を形成する２つのアルキレンオキシ基に、結合している。
【００３８】
それぞれのトリアリールメタンロイコ分子の第１および第２のアルキレンオキシ部分は、部分中に存在するアルキレンオキシド基のタイプおよび／または数に依存する質量を有する。さらに、アルキレンオキシ部分のそれぞれにおいて存在するアルキレンオキシド基の数は、トリアリールメタンロイコ分子によって変動し得る。たとえば、１個の分子の第１のアルキレンオキシ部分は、３つのエチレンオキシド基を含有していてもよく、別の分子の第１のアルキレンオキシ部分は、４つのエチレンオキシド基を含有していてもよい。概して、トリアリールメタンロイコ分子の所与の集団について、アルキレンオキシ部分（すなわち、第１のアルキレンオキシ部分および第２のアルキレンオキシ部分）中に存在するアルキレンオキシド基の数は、ポアソン分布に準拠する。故に、複数のトリアリールメタンロイコ分子を含有する組成物において、分子は、第１のアルキレンオキシ部分の質量についての質量分布（「第１の質量分布」）を有することになり、分子は、第２のアルキレンオキシ部分の質量についての質量分布（「第２の質量分布」）を有することになる。これらの分布（すなわち、第１の質量分布および第２の質量分布）のそれぞれは、最大を有する。
【００３９】
好ましくは、第１の質量分布（すなわち、第１のアルキレンオキシ部分の質量についての分布）の最大は、第２の質量分布（すなわち、第２のアルキレンオキシ部分の質量についての分布）の最大とは異なる。より好ましくは、第１の質量分布の最大と第２の質量分布の最大との間の差異は、４４ダルトン以上である。別の好ましい側面において、第１の質量分布の最大と第２の質量分布の最大との間の差異は、５８ダルトン以上である。別の好ましい側面において、第１の質量分布の最大と第２の質量分布の最大との間の差異は、約２００ダルトン以上、より好ましくは約２２０ダルトン以上である。
【００４０】
好ましい態様において、第１の態様の組成物は、式（Ｌ）のトリアリールメタンロイコ化合物を含む。
【００４１】
【化２】
2020537008.tif 000003
【００４２】
式（Ｌ）の構造において、環Ａ、ＦおよびＳのそれぞれの上の個々のＲｏおよびＲｍは、水素、重水素およびＲ５からなる群から独立して選択される。それぞれのＲ５は、ハロゲン、ニトロ、アルキル、置換アルキル、アリール、置換アリール、アルカリル、置換アルカリル、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−ＯＲ１、−ＮＲ１Ｒ２、−Ｐ（Ｏ）２Ｒ１、−Ｐ（Ｏ）（ＯＲ１）２、−Ｐ（Ｏ）（ＯＲ１）Ｏ−、および−Ｐ（Ｏ）（Ｏ−）２からなる群から独立して選択される。３つの環Ａ、ＦまたはＳのうちの少なくとも１つの上のＲｏおよびＲｍ基のうちの少なくとも１つは、水素である。基Ｒｐは、水素、−ＯＲ１および−ＮＲ１Ｒ２から独立して選択される。Ｇは、水素、重水素、Ｃ１〜Ｃ１６アルコキシド、フェノキシド、ビスフェノキシド、ニトライト、ニトリル、アルキルアミン、イミダゾール、アリールアミン、ポリアルキレンオキシド、ハロゲン化物、アルキルスルフィド、アリールスルフィドおよびホスフィンオキシドからなる群から独立して選択される。基Ｒ１、Ｒ２およびＲ３は、水素、アルキル、置換アルキル、アリール、置換アリール、アルカリル、置換アルカリルおよびＲ４からなる群から独立して選択され、ただし、環ＦおよびＳのそれぞれの上のＲ１またはＲ２のうちの少なくとも１つは、Ｒ４である。それぞれの基Ｒ４は、独立して選択されるアルキレンオキシ部分であり、トリアリールメタンロイコ化合物中に存在する任意の電荷は、好適な独立して選択される内部または外部対イオンと均衡がとれている。
【００４３】
好ましい側面において、環Ａ、ＦおよびＳのそれぞれの上の基ＲｏおよびＲｍは、水素、アルキル、置換アルキル、アリール、置換アリール、アルカリルおよび置換アルカリルからなる群から独立して選択される。別の好ましい側面において、環Ａ、ＦおよびＳのそれぞれの上の基ＲｏおよびＲｍは、水素およびアルキルからなる群から独立して選択される。別の好ましい側面において、基Ｒｐは、−ＮＲ１Ｒ２であり、ＲｐのＲ１およびＲ２基は、水素、アルキル、置換アルキル、アリール、置換アリール、アルカリルおよび置換アルカリルからなる群から独立して選択され、より好ましくはアルキルである。別の好ましい側面において、環Ｆのパラ位にある−ＮＲ１Ｒ２の基Ｒ１およびＲ２は、（ＣＨ２ＣＨ２Ｏ）ｎＨから個別に選択され、ここで、添え字ｎは、１〜２０の整数であり、環Ｓのパラ位にある−ＮＲ１Ｒ２のＲ１およびＲ２は、（Ｃ２Ｈ４Ｏ）ｎ（Ｃ３Ｈ６Ｏ）ｑＨから個別に選択され、ここで、添え字ｎおよびｑは、それぞれ個別に、１〜２０の整数である。別の好ましい側面において、Ｇは、水素である。
【００４４】
第２の態様において、本発明は、式（Ｃ）のトリアリールメタンロイコ化合物を提供する。
【００４５】
【化３】
2020537008.tif 000004
【００４６】
式（Ｃ）の構造において、Ｇは、水素、重水素、Ｃ１〜Ｃ１６アルコキシド、フェノキシド、ビスフェノキシド、ニトライト、ニトリル、アルキルアミン、イミダゾール、アリールアミン、ポリアルキレンオキシド、ハロゲン化物、アルキルスルフィド、アリールスルフィドおよびホスフィンオキシドからなる群から独立して選択される。基Ｒ１０３は、水素、−ＯＲ１２０および−ＮＲ１２０Ｒ１２１からなる群から選択される。基Ｒ１０８およびＲ１１３は、−ＯＲ１２２および−ＮＲ１２２Ｒ１２３からなる群から独立して選択される。それぞれのＲ１２０、Ｒ１２１、Ｒ１２２およびＲ１２３は、アルキル、置換アルキル、アリール、置換アリール、アルカリル、置換アルカリルおよびアルキレンオキシからなる群から独立して選択される。基Ｒ１０１、Ｒ１０２、Ｒ１０４、Ｒ１０５、Ｒ１０６、Ｒ１０７、Ｒ１０９、Ｒ１１０、Ｒ１１１、Ｒ１１２、Ｒ１１４およびＲ１１５は、水素、重水素、ハロゲン、ニトロ、アルキル、置換アルキル、アリール、置換アリール、アルカリル、置換アルカリル、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−ＯＲ１、−ＮＲ１Ｒ２、−Ｐ（Ｏ）２Ｒ１、−Ｐ（Ｏ）（ＯＲ１）２、−Ｐ（Ｏ）（ＯＲ１）Ｏ−、および−Ｐ（Ｏ）（Ｏ−）２からなる群から独立して選択される。基Ｒ１、Ｒ２およびＲ３は、水素、アルキル、置換アルキル、アリール、置換アリール、アルカリル、置換アルカリルおよびＲ４からなる群から独立して選択される。基Ｒ４は、１種以上の有機モノマーで構成される有機基であり、前記モノマーの分子量は、２８〜５００の範囲である。
【００４７】
さらに、式（Ｃ）の構造において、Ｒ１０６およびＲ１１０のうちの少なくとも１つは、Ｒ１１１およびＲ１１５とは異なるか、またはＲ１０７およびＲ１０９のうちの少なくとも１つは、Ｒ１１２およびＲ１１４とは異なる。また、Ｒ１０３が−ＯＲ１２０であり、Ｒ１０８およびＲ１１３がそれぞれ−ＯＲ１２２であるならば、Ｒ１０６およびＲ１１０のうちの少なくとも１つは、Ｒ１０１およびＲ１０５とは異なるか、またはＲ１０７およびＲ１０９のうちの少なくとも１つは、Ｒ１０２およびＲ１０４とは異なる。最後に、Ｒ１０３が−ＮＲ１２０Ｒ１２１であり、Ｒ１０８およびＲ１１３がそれぞれ−ＮＲ１２２Ｒ１２３であるならば、Ｒ１０６およびＲ１１０のうちの少なくとも１つは、Ｒ１０１およびＲ１０５とは異なるか、またはＲ１０７およびＲ１０９のうちの少なくとも１つは、Ｒ１０２およびＲ１０４とは異なる。
【００４８】
好ましい側面において、基Ｒ１０１、Ｒ１０２、Ｒ１０４、Ｒ１０５、Ｒ１０６、Ｒ１０７、Ｒ１０９、Ｒ１１０、Ｒ１１１、Ｒ１１２、Ｒ１１４およびＲ１１５は、水素、アルキル、置換アルキル、アリール、置換アリール、アルカリルおよび置換アルカリルからなる群から独立して選択される。別の好ましい側面において、基Ｒ１０１、Ｒ１０２、Ｒ１０４、Ｒ１０５、Ｒ１０６、Ｒ１０７、Ｒ１０９、Ｒ１１０、Ｒ１１１、Ｒ１１２、Ｒ１１４およびＲ１１５は、水素およびアルキルからなる群から独立して選択される。好ましい側面において、基Ｒ１０３は、−ＮＲ１２０Ｒ１２１であり、それぞれのＲ１２０およびＲ１２１は、独立して選択されるアルキルである。別の好ましい側面において、基Ｒ１０８およびＲ１１３は、−ＮＲ１２２Ｒ１２３である。好ましい側面において、それぞれのＲ１２２およびＲ１２３は、−（Ｃ２Ｈ４Ｏ）ａＨおよび−（Ｃ２Ｈ４Ｏ）ｃ（Ｃ３Ｈ６Ｏ）ｅＨから独立して選択され、ここで、ａ、ｃおよびｅは、正の自然数からなる群から独立して選択される整数である。そのような態様のさらなる好ましい側面において、可変基ａ、ｃおよびｅは、１〜２０の独立して選択される整数である。別の好ましい側面において、Ｇは、水素である。
【００４９】
第３の態様において、本発明は、複数のトリアリールメタンロイコ分子を含む組成物を提供する。それぞれのトリアリールメタンロイコ分子は、第１のアリール部分、第２のアリール部分および第３のアリール部分を含む。第１のアリール部分は、それに結合している第１のアルキレンオキシ部分を含み、第２のアリール部分は、それに結合している第２のアルキレンオキシ部分を含む。本発明の第１の態様において記載されているアルキレンオキシ部分と同様に、これらのアルキレンオキシ部分は、任意の好適な位置で、任意の好適な連結基を介して、アリール部分に結合することができる。上述の通り、アルキレンオキシ部分が窒素を介してアリール部分と結合している場合、窒素は、好ましくは、それに結合している２つのアルキレンオキシ基を有し、その両方が一緒になって、上述したアルキレンオキシ部分を形成する。
【００５０】
この第３の態様において、第１および第２のアルキレンオキシ部分は、エチレンオキシド、プロピレンオキシドおよびブチレンオキシドからなる群から選択される少なくとも１つのアルキレンオキシ繰り返し単位を含む。さらに、組成物中に存在する約５モル％以上のトリアリールメタンロイコ分子は、第２のアルキレンオキシ部分中に存在するアルキレンオキシ繰り返し単位のうちの少なくとも１つを含有しない第１のアルキレンオキシ部分を含む。たとえば、１つの好ましい態様において、組成物中に存在する約５モル％以上のトリアリールメタンロイコ分子は、１つ以上のプロピレンオキシド基を含む第２のアルキレンオキシ部分、およびいかなるプロピレンオキシド基も含まない第１のアルキレンオキシ部分を含む。別の好ましい態様において、組成物中に存在する約５モル％以上のトリアリールメタンロイコ分子は、１つ以上のエチレンオキシド繰り返し単位からなる第１のアルキレンオキシ部分および少なくとも１つのプロピレンオキシド繰り返し単位を含む第２のアルキレンオキシ部分を含む。
【００５１】
好ましい側面において、組成物中に存在する約５モル％以上のトリアリールメタンロイコ分子は、式（ＣＣ）の化合物である。
【００５２】
【化４】
2020537008.tif 000005
【００５３】
式（ＣＣ）の構造において、基Ｇは、水素、重水素、Ｃ１〜Ｃ１６アルコキシド、フェノキシド、ビスフェノキシド、ニトライト、ニトリル、アルキルアミン、イミダゾール、アリールアミン、ポリアルキレンオキシド、ハロゲン化物、アルキルスルフィド、アリールスルフィドおよびホスフィンオキシドからなる群から独立して選択される。基Ｒ２０１、Ｒ２０２、Ｒ２０４、Ｒ２０５、Ｒ２０６、Ｒ２０７、Ｒ２０９、Ｒ２１０、Ｒ２１１、Ｒ２１２、Ｒ２１４およびＲ２１５は、水素、重水素、ハロゲン、ニトロ、アルキル、置換アルキル、アリール、置換アリール、アルカリルおよび置換アルカリルからなる群から独立して選択される。基Ｒ２０３は、水素、−ＯＲ２２０および−ＮＲ２２０Ｒ２２１からなる群から選択され、それぞれのＲ２２０およびＲ２２１は、アルキル、置換アルキル、アリール、置換アリール、アルカリル、置換アルカリルおよびアルキレンオキシからなる群から独立して選択される。基Ｒ２０８は、−ＯＲ２２２および−ＮＲ２２２Ｒ２２３からなる群から選択され、それぞれのＲ２２２およびＲ２２３は、１つ以上のエチレンオキシド基からなるアルキレンオキシ基である。基Ｒ２１３は、−ＯＲ２２４および−ＮＲ２２４Ｒ２２５からなる群から選択され、それぞれのＲ２２４およびＲ２２５は、少なくとも１つのプロピレンオキシド基を含むアルキレンオキシ基である。
【００５４】
好ましい態様において、Ｇは、水素である。別の好ましい態様において、基Ｒ２０１、Ｒ２０２、Ｒ２０４、Ｒ２０５、Ｒ２０６、Ｒ２０７、Ｒ２０９、Ｒ２１０、Ｒ２１１、Ｒ２１２、Ｒ２１４およびＲ２１５は、水素およびアルキルからなる群から独立して選択される。好ましい態様において、Ｒ２０３は、−ＮＲ２２０Ｒ２２１であり、Ｒ２２０およびＲ２２１は、アルキルである。別の好ましい態様において、Ｒ２０８は、−ＮＲ２２２Ｒ２２３であり、Ｒ２１３は、−ＮＲ２２４Ｒ２２５である。
【００５５】
上述の通り、組成物中に存在する約５モル％以上のトリアリールメタンロイコ分子は、第２のアルキレンオキシ部分中に存在するアルキレンオキシ繰り返し単位のうちの少なくとも１つを含有しない第１のアルキレンオキシ部分を含む。他の態様において、組成物は、より大きいパーセンテージのそのような不斉トリアリールメタンロイコ分子（すなわち、第２のアルキレンオキシ部分中に存在するアルキレンオキシ繰り返し単位のうちの少なくとも１つを含有しない第１のアルキレンオキシ部分を有するトリアリールメタンロイコ分子）を含むことができる。たとえば、組成物は、好ましくは、約１０モル％以上のそのような不斉トリアリールメタンロイコ分子を含むことができる。より好ましくは、組成物は、約１５モル％以上、約２０モル％以上、約２５モル％以上、約３０モル％以上、約３５モル％以上、約４０モル％以上、約４５モル％以上、または約５０モル％のそのような不斉トリアリールメタンロイコ分子を含むことができる。
【００５６】
上述したトリアリールメタンロイコ化合物およびそれを含有する組成物は、任意の好適な方法によって生成することができる。第４の態様において、本発明は、トリアリールメタンロイコ化合物を作製するための方法を提供する。方法は、（ａ）芳香族アルデヒド化合物を用意する工程と；（ｂ）第１のオキシアルキレン化アリール化合物を用意する工程と；（ｃ）第２のオキシアルキレン化アリール化合物を用意する工程であり、第２のオキシアルキレン化アリール化合物が、第１のオキシアルキレン化アリール化合物とは異なる、工程と；（ｄ）酸性触媒を用意する工程と；（ｅ）芳香族アルデヒド化合物、第１のオキシアルキレン化化合物および第２のオキシアルキレン化化合物を、酸性触媒の存在下、縮合反応で反応させて、トリアリールメタンロイコ化合物を生成する工程とを含む。
【００５７】
本発明の方法において利用される芳香族アルデヒドは、任意の好適な芳香族アルデヒドであってもよい。好ましい態様において、芳香族アルデヒドは、ベンズアルデヒドまたはその置換された誘導体である。好ましい側面において、芳香族アルデヒドは、式（ＣＩ）の化合物である。
【００５８】
【化５】
2020537008.tif 000006
【００５９】
式（ＣＩ）の構造において、基Ｒ１０１、Ｒ１０２、Ｒ１０４およびＲ１０５は、水素、重水素、ハロゲン、ニトロ、アルキル、置換アルキル、アリール、置換アリール、アルカリル、置換アルカリル、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−ＯＲ１、−ＮＲ１Ｒ２、−Ｐ（Ｏ）２Ｒ１、−Ｐ（Ｏ）（ＯＲ１）２、−Ｐ（Ｏ）（ＯＲ１）Ｏ−、および−Ｐ（Ｏ）（Ｏ−）２からなる群から独立して選択される。基Ｒ１、Ｒ２およびＲ３は、水素、アルキル、置換アルキル、アリール、置換アリール、アルカリル、置換アルカリルおよびＲ４からなる群から独立して選択される。基Ｒ４は、１種以上の有機モノマーで構成される有機基であり、前記モノマーの分子量は、２８〜５００の範囲である。基Ｒ１０３は、水素、−ＯＲ１２０および−ＮＲ１２０Ｒ１２１からなる群から選択される。基Ｒ１２０およびＲ１２１は、アルキル、置換アルキル、アリール、置換アリール、アルカリル、置換アルカリルおよびアルキレンオキシからなる群から独立して選択される。好ましい態様において、基Ｒ１０１、Ｒ１０２、Ｒ１０４およびＲ１０５は、水素、アルキル、置換アルキル、アリール、置換アリール、アルカリルおよび置換アルカリルからなる群から独立して選択される。より好ましくは、基Ｒ１０１、Ｒ１０２、Ｒ１０４およびＲ１０５は、水素およびアルキルからなる群から独立して選択される。別の好ましい態様において、基Ｒ１０３は、−ＮＲ１２０Ｒ１２１であり、それぞれのＲ１２０およびＲ１２１は、独立して選択されるアルキルである。
【００６０】
第１のアルキレンオキシアリール化合物および第２のアルキレンオキシアリール化合物は、アルキレンオキシ部分を含む任意の好適なアリール化合物であってもよい。好ましい側面において、第１のアルキレンオキシアリール化合物は、式（ＣＶ）の化合物であり、第２のアルキレンオキシアリール化合物は、式（ＣＸ）の化合物である。
【００６１】
【化６】
2020537008.tif 000007
【００６２】
式（ＣＶ）および（ＣＸ）の構造において、基Ｒ１０６、Ｒ１０７、Ｒ１０９、Ｒ１１０、Ｒ１１１、Ｒ１１２、Ｒ１１４およびＲ１１５は、水素、重水素、ハロゲン、ニトロ、アルキル、置換アルキル、アリール、置換アリール、アルカリル、置換アルカリル、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−ＯＲ１、−ＮＲ１Ｒ２、−Ｐ（Ｏ）２Ｒ１、−Ｐ（Ｏ）（ＯＲ１）２、−Ｐ（Ｏ）（ＯＲ１）Ｏ−、および−Ｐ（Ｏ）（Ｏ−）２からなる群から独立して選択される。基Ｒ１、Ｒ２およびＲ３は、水素、アルキル、置換アルキル、アリール、置換アリール、アルカリル、置換アルカリルおよびＲ４からなる群から独立して選択される。基Ｒ４は、１種以上の有機モノマーで構成される有機基であり、前記モノマーの分子量は、２８〜５００の範囲である。基Ｒ１０８およびＲ１１３は、−ＯＲ１２２および−ＮＲ１２２Ｒ１２３からなる群から独立して選択される。それぞれのＲ１２２およびＲ１２３は、独立して選択されるアルキレンオキシ部分であり、アルキレンオキシ部分は、アルキレンオキシ繰り返し単位の分布を有する。好ましくは、（ｉ）Ｒ１０８およびＲ１１３が両方とも−ＯＲ１２２または−ＮＲ１２２Ｒ１２３であり、（ｉｉ）それぞれのＲ１２２およびＲ１２３がアルキレンオキシ繰り返し単位の同じ分布を有するならば、（ｉｉｉ）Ｒ１０６およびＲ１１０のうちの少なくとも１つは、Ｒ１１１およびＲ１１５とは異なるか、または（ｉｖ）Ｒ１０７およびＲ１０９のうちの少なくとも１つは、Ｒ１１２およびＲ１１４とは異なる。好ましい側面において、基Ｒ１０６、Ｒ１０７、Ｒ１０９、Ｒ１１０、Ｒ１１１、Ｒ１１２、Ｒ１１４およびＲ１１５は、水素、アルキル、置換アルキル、アリール、置換アリール、アルカリル、置換アルカリルからなる群から独立して選択される。より好ましくは、Ｒ１０６、Ｒ１０７、Ｒ１０９、Ｒ１１０、Ｒ１１１、Ｒ１１２、Ｒ１１４およびＲ１１５は、水素およびアルキルからなる群から独立して選択される。好ましい側面において、基Ｒ１０８およびＲ１１３は、−ＮＲ１２２Ｒ１２３である。
【００６３】
方法の特に好ましい側面において、第１のオキシアルキレン化アリール化合物は、アルキレンオキシ繰り返し単位の第１の分布を有し、第２のオキシアルキレン化アリール化合物は、アルキレンオキシ繰り返し単位の第２の分布を有し、アルキレンオキシ繰り返し単位の第１の分布は、アルキレンオキシ繰り返し単位の第２の分布とは異なる。たとえば、第１のオキシアルキレン化アリール化合物は、エチレンオキシド繰り返し単位からなるアルキレンオキシ部分を含有することができ、第２のアルキレンオキシ部分は、１つ以上のプロピレンオキシド繰り返し単位を含むことができる。１つの好ましい側面において、第１のオキシアルキレン化アリール化合物は、エチレンオキシド繰り返し単位からなるアルキレンオキシ部分を含有することができ、第２のアルキレンオキシ部分は、１つ以上のエチレンオキシド繰り返し単位および１つ以上のプロピレンオキシド繰り返し単位を含むことができる。故に、好ましい態様において、基Ｒ１０８は、
【００６４】
【化７】
2020537008.tif 000008
【００６５】
であり、基Ｒ１１３は、
【００６６】
【化８】
2020537008.tif 000009
【００６７】
である。
【００６８】
そのような態様において、可変基ａ、ｂ、ｃ、ｄ、ｅおよびｆは、ゼロおよび正の自然数からなる群から選択される整数である。可変基ａおよびｂの和は、１以上であり、可変基ｅおよびｆの和は、１以上である。好ましい側面において、可変基ａ、ｂ、ｃ、ｄ、ｅおよびｆは、１〜１００、より好ましくは１〜２０の整数である。別の好ましい側面において、可変基ａおよびｂの和は、２以上（たとえば、２〜４０、より好ましくは２〜２０）である。別の好ましい側面において、可変基ｅおよびｆの和は、２以上（たとえば、２〜４０、より好ましくは２〜２０）である。そのような態様において、可変基ｃおよびｄの和は、好ましくは、２以上（たとえば、２〜４０、より好ましくは２〜２０）である。
【００６９】
芳香族アルデヒド、第１のアルキレンオキシアリール化合物および第２のアルキレンオキシアリール化合物は、任意の好適な相対量で反応することができる。典型的には、化合物は、１モル当量の芳香族アルデヒド対合わせて合計２モル当量の第１のアルキレンオキシアリール化合物および第２のアルキレンオキシアリール化合物の比で反応する。第１のアルキレンオキシアリール化合物および第２のアルキレンオキシアリール化合物は、任意の好適な比で使用され得る。第１のアルキレンオキシアリール化合物および第２のアルキレンオキシアリール化合物の相対量は、アリール部分（すなわち、第１のアルキレンオキシアリール化合物に由来するアリール部分および第２のアルキレンオキシアリール化合物に由来するアリール部分）の所望の分布を呈するトリアリールメタンロイコ化合物（またはそのようなトリアリールメタンロイコ化合物を含有する組成物）を生成するために、所望の通りに変動し得る。たとえば、第１のアルキレンオキシアリール化合物および第２のアルキレンオキシアリール化合物は、等モル量で使用され得る。そのような態様において、方法は、（１）芳香族アルデヒド由来の１つのアリール部分および第１のアルキレンオキシアリール化合物由来の２つのアリール部分を含む、およそ２５モル％のトリアリールメタンロイコ化合物、（２）芳香族アルデヒド由来の１つのアリール部分、第１のアルキレンオキシ化合物由来の１つのアリール部分および第２のアルキレンオキシ化合物由来の１つのアリール部分を含む、およそ５０モル％のトリアリールメタンロイコ化合物、ならびに（３）芳香族アルデヒド由来の１つのアリール部分および第２のアルキレンオキシアリール化合物由来の２つのアリール部分を含む、およそ２５モル％のトリアリールメタンロイコ化合物を含有する、組成物を生成するであろう。組成物中に含有される化合物のこれらの３つの群の相対量は、第１および第２のアルキレンオキシ化合物の相対量が変動するにつれて、変化することになる。たとえば、より多くの第２のアルキレンオキシ化合物を含有する混合物を使用することは、芳香族アルデヒド由来の１つのアリール部分および第２のアルキレンオキシアリール化合物由来の２つのアリール部分を含むトリアリールメタンロイコ化合物の量を増大させることになり、一方、他の２つのトリアリールメタンロイコ化合物の量を減少させる。一側面において、第１のアルキレンオキシアリール化合物および第２のアルキレンオキシアリール化合物は、約１：９〜９：１、約１：４〜約４：１、約３：７〜約７：３、約２：３〜約３：２、または約１：１のモル比で使用され得る。
【００７０】
上述の通り、酸性触媒の存在下、縮合反応における、芳香族アルデヒド化合物、第１のオキシアルキレン化化合物および第２のオキシアルキレン化化合物。方法において使用される酸性触媒は、任意の好適な酸、たとえば鉱酸であってもよい。１つの好ましい側面において、酸性触媒は、塩酸である。
【００７１】
上記のロイコ化合物および組成物は、家庭の洗濯プロセスなどにおけるテキスタイル材料の処理において使用するのに好適であると考えられる。特に、ロイコ化合物は、ロイコ化合物の性質に起因して、テキスタイル材料の繊維上に堆積すると考えられる。さらに、ロイコ化合物は、テキスタイル材料上に堆積したら、ロイコ化合物をその着色形態に変換する好適な化学的または物理的な誘因の適用によって、着色化合物に変換され得る。たとえば、ロイコ化合物は、ロイコ化合物が酸化化合物に酸化したら、その着色形態に変換され得る。適切なロイコ部分を選択することによって、ロイコ化合物は、ロイコ化合物がその着色形態に変換すると、テキスタイル材料の所望の色相を付与するように設計され得る。たとえば、その着色形態に変換すると青色の色相を呈するロイコ化合物を使用して、普通は時間の経過および／または洗濯の繰返しに起因して生じるテキスタイル材料の黄ばみに対抗することができる。したがって、他の態様において、本発明は、上述したロイコ化合物を含む洗濯ケア組成物、およびテキスタイル材料を処理するための家庭用方法（たとえば、洗濯物品または衣類を洗浄するための方法）を提供する。
【００７２】
好ましくは、ロイコ化合物は、その第２の色状態に変換されると、布に、２１０〜３４５の相対色相角、またはさらには２４０〜３２０の相対色相角、またはさらには２５０〜３００（たとえば、２５０〜２９０）の相対色相角を持つ色相を与える。相対色相角は、当技術分野において公知の通りの任意の好適な方法によって決定することができる。しかしながら、好ましくは、いかなるロイコ実体もない綿と比べた、綿へのロイコ実体の堆積に関して、ここでさらに詳細に記載されている通りに決定されていてもよい。
【００７３】
上述した通り、第２の態様において、本発明は、ここで記載されている通り洗濯ケア原料およびロイコ組成物を含む洗濯ケア組成物を提供する。洗濯ケア組成物は、ここで記載されている通り任意の好適なロイコ組成物またはロイコ組成物の組合せを含むことができる。洗濯ケア組成物は、任意の好適な洗濯ケア原料を含むことができる。本発明における使用に好適な洗濯ケア原料は、以下に詳細に記載されている。
洗濯ケア原料
界面活性剤系
本発明の製品は、約０．００重量％〜、より典型的には約０．１０〜８０重量％の界面活性剤を含んでいてもよい。一側面において、そのような組成物は、約５〜５０重量％の界面活性剤を含んでいてもよい。利用される界面活性剤は、アニオン性、非イオン性、両性、両性電解質性、両性イオン性もしくはカチオン性タイプのものであることができ、またはこれらのタイプの相溶性混合物を含むことができる。アニオン性および非イオン性界面活性剤は、典型的には、織物ケア製品が洗濯洗剤である場合に使用される。他方で、カチオン性界面活性剤は、典型的には、織物ケア製品が織物柔軟剤である場合に使用される。
アニオン性界面活性剤
有用なアニオン性界面活性剤は、それら自体がいくつかの異なるタイプのものであることができる。たとえば、高級脂肪酸の水溶性塩、すなわち「石鹸」は、ここでの組成物において有用なアニオン性界面活性剤である。これは、アルカリ金属石鹸、たとえば、約８〜約２４個の炭素原子またはさらには約１２〜約１８個の炭素原子を含有する高級脂肪酸の、ナトリウム、カリウム、アンモニウムおよびアルキロールアンモニウム塩を含む。石鹸は、脂肪および油の直接鹸化によってまたは遊離脂肪酸の中和によって作製することができる。特に有用なのは、ココナツ油および獣脂に由来する脂肪酸の混合物のナトリウムおよびカリウム塩、すなわち、ナトリウムまたはカリウム獣脂およびココナツ石鹸である。
【００７４】
好ましいアルキル硫酸塩は、Ｃ８〜１８アルキルアルコキシル化硫酸塩、好ましくはＣ１２〜１５アルキルまたはヒドロキシアルキルアルコキシル化硫酸塩である。好ましくは、アルコキシル化基は、エトキシル化基である。典型的には、アルキルアルコキシル化硫酸塩は、０．５〜３０もしくは２０、または０．５〜１０の平均アルコキシル化度を有する。アルキル基は、分枝であっても直鎖状であってもよい。アルコキシル化アルキル硫酸塩界面活性剤は、アルコキシル化アルキル硫酸塩の混合物であってもよく、該混合物は、約１２〜約３０個の炭素原子の範囲内の平均（算術平均）炭素鎖長、または約１２〜約１５個の炭素原子の平均炭素鎖長、およびエチレンオキシド、プロピレンオキシドもしくはそれらの混合物の、約１モル〜約４モルの平均（算術平均）アルコキシル化度、またはエチレンオキシド、プロピレンオキシドもしくはそれらの混合物の、約１．８モルの平均（算術平均）アルコキシル化度を有する。アルコキシル化アルキル硫酸塩界面活性剤は、約１０個の炭素原子〜約１８個の炭素原子の炭素鎖長、およびエチレンオキシド、プロピレンオキシドまたはそれらの混合物の、約０．１〜約６モルのアルコキシル化度を有していてもよい。アルコキシル化アルキル硫酸塩は、エチレンオキシド、プロピレンオキシドまたはそれらの混合物でアルコキシル化されていてもよい。アルキルエーテル硫酸塩界面活性剤は、ピークに達したエトキシレート分布を含有していてもよい。具体例は、Ｓｈｅｌｌ製のＮＥＯＤＯＬ（登録商標）アルコールに由来する、Ｃ１２〜Ｃ１５  ＥＯ  ２．５スルフェート、Ｃ１４〜Ｃ１５  ＥＯ  ２．５スルフェートおよびＣ１２〜Ｃ１５  ＥＯ  １．５スルフェート、ならびにＨｕｎｔｓｍａｎ製の天然アルコールに由来する、Ｃ１２〜Ｃ１４  ＥＯ３スルフェート、Ｃ１２〜Ｃ１６  ＥＯ３スルフェート、Ｃ１２〜Ｃ１４  ＥＯ２スルフェートおよびＣ１２〜Ｃ１４  ＥＯ１スルフェートを含む。ＡＥＳは、直鎖状、分枝、またはそれらの組合せであってもよい。アルキル基は、合成もしくは天然アルコール、たとえばＳｈｅｌｌ製の商標名Ｎｅｏｄｏｌ（登録商標）、Ｓａｓｏｌ製のＳａｆｏｌ（登録商標）、Ｌｉａｌ（登録商標）およびＩｓａｌｃｈｅｍ（登録商標）によって供給されるもの、または植物油、たとえばココナツおよびパーム核に由来するミッドカットアルコールに由来していてもよい。別の好適なアニオン性洗浄性界面活性剤は、Ｃ１０〜Ｃ２６直鎖状または分枝、好ましくはＣ１０〜Ｃ２０直鎖状、最も好ましくはＣ１６〜Ｃ１８直鎖状アルキルアルコールおよび２〜２０、好ましくは７〜１３、より好ましくは８〜１２、最も好ましくは９．５〜１０．５のエトキシレートを含む、アルキルエーテルカルボキシレートである。酸形態または塩形態、たとえばナトリウムもしくはアンモニウム塩が使用されていてもよく、アルキル鎖は、１つのシスまたはトランス二重結合を含有していてもよい。アルキルエーテルカルボン酸は、花王株式会社（Ａｋｙｐｏ（登録商標））、Ｈｕｎｔｓｍａｎ（Ｅｍｐｉｃｏｌ（登録商標））およびＣｌａｒｉａｎｔ（Ｅｍｕｌｓｏｇｅｎ（登録商標））から入手可能である。
【００７５】
他の有用なアニオン性界面活性剤は、アルキルベンゼンスルホネートのアルカリ金属塩を含むことができ、ここで、アルキル基は、直鎖（直鎖状）または分枝鎖立体配置中に、約９〜約１５個の炭素原子を含有する。一部の例において、アルキル基は、直鎖状である。そのような直鎖状アルキルベンゼンスルホネートは、「ＬＡＳ」として公知である。他の例において、直鎖状アルキルベンゼンスルホネートは、アルキル基中、約１１〜１４の平均炭素原子数を有していてもよい。具体例において、直鎖状直鎖アルキルベンゼンスルホネートは、アルキル基中、約１１．８個の炭素原子の平均炭素原子数を有していてもよく、これは、Ｃ１１．８ＬＡＳと略記されていてもよい。好ましいスルホネートは、Ｃ１０〜１３アルキルベンゼンスルホネートである。好適なアルキルベンゼンスルホネート（ＬＡＳ）は、市販の直鎖状アルキルベンゼン（ＬＡＢ）をスルホン化することによって取得されていてもよく、好適なＬＡＢは、低２−フェニルＬＡＢ、たとえば商標名Ｉｓｏｃｈｅｍ（登録商標）でＳａｓｏｌによって供給されるものまたは商標名Ｐｅｔｒｅｌａｂ（登録商標）でＰｅｔｒｅｓａによって供給されるものを含み、他の好適なＬＡＢは、高２−フェニルＬＡＢ、たとえば商標名Ｈｙｂｌｅｎｅ（登録商標）でＳａｓｏｌによって供給されるものを含む。好適なアニオン性洗浄性界面活性剤は、ＤＥＴＡＬ触媒プロセスによって取得されるアルキルベンゼンスルホネートであるが、他の合成ルート、たとえばＨＦも好適となり得る。一側面において、ＬＡＳのマグネシウム塩が使用される。ここで使用するための好適なアニオン性スルホネート界面活性剤は、Ｃ８〜Ｃ１８アルキルまたはヒドロキシアルキルスルホネート；ＷＯ９９／０５２４３、ＷＯ９９／０５２４２、ＷＯ９９／０５２４４、ＷＯ９９／０５０８２、ＷＯ９９／０５０８４、ＷＯ９９／０５２４１、ＷＯ９９／０７６５６、ＷＯ００／２３５４９およびＷＯ００／２３５４８において論じられている通りの、Ｃ１１〜Ｃ１８アルキルベンゼンスルホネート（ＬＡＳ）、修飾アルキルベンゼンスルホネート（ＭＬＡＳ）；メチルエステルスルホネート（ＭＥＳ）；ならびにアルファ−オレフィンスルホネート（ＡＯＳ）の、水溶性塩を含む。それらはまた、１０〜２０個の炭素原子のパラフィンをスルホン化することによって取得されるモノスルホネートおよび／またはジスルホネートであってもよいパラフィンスルホネートを含む。スルホネート界面活性剤は、アルキルグリセリルスルホネート界面活性剤を含んでいてもよい。
【００７６】
本発明のアニオン性界面活性剤は、酸形態であってもよく、前記酸形態を中和して、本発明の洗剤組成物において使用するために望ましい界面活性剤塩を形成していてもよい。
中和のための典型的な作用物質は、金属対イオン塩基、たとえば水酸化物、たとえばＮａＯＨまたはＫＯＨを含む。本発明のアニオン性界面活性剤およびそれらの酸形態における補助アニオン性界面活性剤または共界面活性剤を中和するためのさらなる好ましい作用物質は、アンモニア、アミンまたはアルカノールアミンを含む。アルカノールアミンが好ましい。モノエタノールアミン、ジエタノールアミン、トリエタノールアミン、および当技術分野で公知である他の直鎖状または分枝アルカノールアミンを含む好適な非限定的な例、たとえば、非常に好ましいアルカノールアミンは、２−アミノ−１−プロパノール、１−アミノプロパノール、モノイソプロパノールアミンまたは１−アミノ−３−プロパノールを含む。
非イオン性界面活性剤
好ましくは、組成物は、非イオン性洗浄性界面活性剤を含む。好適な非イオン性界面活性剤は、アルコキシル化脂肪アルコールを含む。非イオン性界面活性剤は、式Ｒ（ＯＣ２Ｈ４）ｎＯＨのエトキシル化アルコールおよびエトキシル化アルキルフェノールから選択されていてもよく、式中、Ｒは、約８〜約１５個の炭素原子を含有する脂肪族炭化水素ラジカル、およびアルキルフェニルラジカルからなる群から選択され、ここで、アルキル基は、約８〜約１２個の炭素原子を含有し、ｎの平均値は、約５〜約１５である。ここで有用な非イオン性界面活性剤の他の非限定的な例は、Ｃ８〜Ｃ１８アルキルエトキシレート、たとえばＳｈｅｌｌ製のＮＥＯＤＯＬ（登録商標）非イオン性界面活性剤；Ｃ６〜Ｃ１２アルキルフェノールアルコキシレート（ここで、アルコキシレート単位は、エチレンオキシ単位、プロピレンオキシ単位、またはそれらの混合物であってもよい）；エチレンオキシド／プロピレンオキシドブロックポリマーを持つＣ１２〜Ｃ１８アルコールおよびＣ６〜Ｃ１２アルキルフェノール凝縮物、たとえばＢＡＳＦ製のＰｌｕｒｏｎｉｃ（登録商標）；Ｃ１４〜Ｃ２２中鎖分枝アルコール、ＢＡ；Ｃ１４〜Ｃ２２中鎖分枝アルキルアルコキシレート、ＢＡＥＸ（ここで、ｘは、１〜３０である）；アルキル多糖；具体的にアルキルポリグルコシド；ポリヒドロキシ脂肪酸アミド；ならびにエーテルでキャップされたポリ（オキシアルキル化）アルコール界面活性剤を含む。具体例は、Ｓｈｅｌｌ製のＣ１２〜Ｃ１５  ＥＯ７およびＣ１４〜Ｃ１５  ＥＯ７  ＮＥＯＤＯＬ（登録商標）非イオン性界面活性剤、Ｈｕｎｔｓｍａｎ製のＣ１２〜Ｃ１４  ＥＯ７およびＣ１２〜Ｃ１４  ＥＯ９  Ｓｕｒｆｏｎｉｃ（登録商標）非イオン性界面活性剤を含む。
【００７７】
非常に好ましい非イオン性界面活性剤は、アルコール１モル当たり２〜１８、好ましくは２〜１５、より好ましくは５〜９モルのエチレンオキシドを持つ、ゲルベアルコールの縮合生成物である。好適な非イオン性界面活性剤は、ＢＡＳＦ製の商標名Ｌｕｔｅｎｓｏｌ（登録商標）を持つものを含む。Ｌｕｔｅｎｓｏｌ  ＸＰ−５０は、平均約５つのエトキシ基を含有するゲルベエトキシレートである。Ｌｕｔｅｎｓｏｌ  ＸＰ−８０および平均約８つのエトキシ基を含有すること。ここで使用するための他の好適な非イオン性界面活性剤は、脂肪アルコールポリグリコールエーテル、アルキルポリグルコシドおよび脂肪酸グルカミド、ゲルベアルコールに基づくアルキルポリグルコシドを含む。
両性界面活性剤
界面活性剤系は、両性界面活性剤、たとえばアミンオキシドを含んでいてもよい。好ましいアミンオキシドは、アルキルジメチルアミンオキシドまたはアルキルアミドプロピルジメチルアミンオキシド、より好ましくはアルキルジメチルアミンオキシド、とりわけココジメチルアミノオキシドである。アミンオキシドは、直鎖状または中分枝アルキル部分を有していてもよい。
両性電解質性界面活性剤
界面活性剤系は、両性電解質性界面活性剤を含んでいてもよい。両性電解質性界面活性剤の具体的な非限定的な例は、第二級もしくは第三級アミンの脂肪族誘導体、またはヘテロ環式第二級および第三級アミンの脂肪族誘導体を含み、ここで、脂肪族ラジカルは、直鎖または分枝鎖であり得る。脂肪族置換基の１つは、少なくとも約８個の炭素原子、たとえば約８〜約１８個の炭素原子を含有していてもよく、少なくとも１つは、アニオン性水溶性基、たとえばカルボキシ、スルホネート、スルフェートを含有している。たとえば、両性電解質性界面活性剤の好適な例については、米国特許第３，９２９，６７８号、１９段、１８〜３５行を参照されたい。
両性イオン性界面活性剤
両性イオン性界面活性剤は、当技術分野において公知であり、概して、全体的に中性に荷電しているが、少なくとも１個の正に荷電した原子／基および少なくとも１個の負に荷電した原子／基を有する、界面活性剤を含む。両性イオン性界面活性剤の例は、第二級および第三級アミンの誘導体、ヘテロ環式第二級および第三級アミンの誘導体、または第四級アンモニウム、第四級ホスホニウムもしくは第三級スルホニウム化合物の誘導体を含む。両性イオン性界面活性剤；アルキルジメチルベタインおよびココジメチルアミドプロピルベタイン、Ｃ８〜Ｃ１８（たとえば、Ｃ１２〜Ｃ１８）アミンオキシドならびにスルホおよびヒドロキシベタイン、たとえば、アルキル基が、Ｃ８〜Ｃ１８、ある特定の態様において、Ｃ１０〜Ｃ１４であり得る場合、Ｎ−アルキル−Ｎ，Ｎ−ジメチルアミノ−１−プロパンスルホネートを含む、ベタインの例については、米国特許第３，９２９，６７８号、１９段、３８行〜２２段、４８行を参照されたい。本発明において使用するための好ましい両性イオン性界面活性剤は、ココアミドプロピルベタインである。
カチオン性界面活性剤
カチオン性界面活性剤の例は、第四級アンモニウム界面活性剤を含み、これは、具体的には最大２６個の炭素原子を有し得る。追加の例は、ａ）米国特許第６，１３６，７６９号において論じられている通りのアルコキシレート第四級アンモニウム（ＡＱＡ）界面活性剤；ｂ）米国特許第６，００４，９２２号において論じられている通りのジメチルヒドロキシエチル第四級アンモニウム；ｃ）参照によりここに組み込まれる、ＷＯ９８／３５００２、ＷＯ９８／３５００３、ＷＯ９８／３５００４、ＷＯ９８／３５００５およびＷＯ９８／３５００６において論じられている通りのポリアミンカチオン性界面活性剤；ｄ）参照によりここに組み込まれる、米国特許第４，２２８，０４２号、同第４，２３９，６６０号、同第４，２６０，５２９号および米国特許第６，０２２，８４４号において論じられている通りのカチオン性エステル界面活性剤、ならびに、ｅ）参照によりここに組み込まれる米国特許第６，２２１，８２５号およびＷＯ００／４７７０８において論じられている通りのアミノ界面活性剤、ならびに具体的にアミドプロピルジメチルアミン（ＡＰＡ）を含む。有用なカチオン性界面活性剤は、米国特許第４，２２２，９０５号、Ｃｏｃｋｒｅｌｌ、１９８０年９月１６日発行において、および米国特許第４，２３９，６５９号、Ｍｕｒｐｈｙ、１９８０年１２月１６日発行において記載されているものも含み、それらの両方とも、参照によりここに組み込まれる。第四級アンモニウム化合物は、織物増強組成物、たとえば織物柔軟剤中に存在していてもよく、構造ＮＲ４＋の正に荷電した多原子イオンである第四級アンモニウムカチオンを含んでいてもよく、ここで、Ｒは、アルキル基またはアリール基である。
【００７８】
本発明の織物ケア組成物は、重量で組成物の最大約３０％、あるいは約０．０１％〜約２０％、さらにあるいは約０．１％〜約２０％の、カチオン性界面活性剤を含有していてもよい。本発明の目的のために、カチオン性界面活性剤は、織物ケアという利益をもたらすことができるものを含む。有用なカチオン性界面活性剤の非限定的な例は、脂肪アミン、イミダゾリンクアット材料および第四級アンモニウム界面活性剤、好ましくはＮ，Ｎ−ビス（ステアロイル−オキシ−エチル）Ｎ，Ｎ−ジメチルアンモニウムクロリド、Ｎ，Ｎ−ビス（タローオイル−オキシ−エチル）Ｎ，Ｎ−ジメチルアンモニウムクロリド、Ｎ，Ｎ−ビス（ステアロイル−オキシ−エチル）Ｎ−（２ヒドロキシエチル）Ｎ−メチルアンモニウムメチルスルフェート；１，２ジ（ステアロイル−オキシ）３トリメチルアンモニウムプロパンクロリド；ジアルキレンジメチルアンモニウム塩、たとえばジカノラジメチルアンモニウムクロリド、ジ（ハード）タロージメチルアンモニウムクロリドジカノーラジメチルアンモニウムメチルスルフェート；１−メチル−１−ステアロイルアミドエチル−２−ステアロイルイミダゾリニウムメチルスルフェート；１−タローイルアミドエチル−２−タローイルイミダゾリン；Ｎ，Ｎ”−ジアルキルジエチレントリアミン；Ｎ−（２−ヒドロキシエチル）−１，２−エチレンジアミンまたはＮ−（２−ヒドロキシイソプロピル）−１，２−エチレンジアミンの、脂肪酸でエステル化されたグリコール酸との反応生成物、ここで、脂肪酸は、（水素化）牛脂脂肪酸、パーム脂肪酸、水素化パーム脂肪酸、オレイン酸、ナタネ脂肪酸、水素化ナタネ脂肪酸である；ポリグリセロールエステル（ＰＧＥ）、油性糖誘導体およびワックスエマルションならびに上記の混合物を含む。
【００７９】
上記で開示された柔軟剤活性物の組合せは、ここで使用するために好適であることが理解されるであろう。
補助クリーニング添加剤
本発明のクリーニング組成物は、補助クリーニング添加剤を含有していてもよい。クリーニング補助添加剤の正確な性質およびその組み込みのレベルは、クリーニング組成物の物理的形態、およびそれが使用されることになっているクリーニング操作の正確な性質によって決まることになる。
【００８０】
補助クリーニング添加剤は、ビルダー、構造化剤または増粘剤、粘土汚れ除去／再付着防止剤、ポリマー性汚れ放出剤、ポリマー性分散剤、ポリマー性グリースクリーニング剤、酵素、酵素安定化系、漂白化合物、漂白剤、漂白活性化剤、漂白触媒、増白剤、染料、色相付与剤、染料移行阻害剤、キレート化剤、泡抑制剤、柔軟剤および香料からなる群から選択されていてもよい。補助クリーニング添加剤のこの一覧は、例示的なものに過ぎず、使用され得る補助クリーニング添加剤のタイプを限定するものとしてではない。原理上、当技術分野において公知のあらゆる補助クリーニング添加剤が本発明において使用されていてもよい。
ポリマー
組成物は、１種以上のポリマーを含んでいてもよい。非限定的な例は、そのすべてが任意に修飾されていてもよく、ＷＯ２０１６／０４１６７６において記載されている通り、ポリエチレンイミン、カルボキシメチルセルロース、ポリ（ビニル−ピロリドン）、ポリ（エチレングリコール）、ポリ（ビニルアルコール）、ポリ（ビニルピリジン−Ｎ−オキシド）、ポリ（ビニルイミダゾール）、ポリカルボキシレートまたはアルコキシル化置換フェノール（ＡＳＰ）を含む。ＡＳＰ分散剤の例は、Ｃｌａｒｉａｎｔから入手可能なＨＯＳＴＡＰＡＬ  ＢＶ  ＣＯＮＣ  Ｓ１０００を含むがこれに限定されない。
【００８１】
ポリアミンは、グリース、微粒子除去または染み除去に使用されていてもよい。多種多様なアミンおよびポリアルキレンイミンを種々の程度にアルコキシル化して、疎水性または親水性クリーニングを達成することができる。そのような化合物は、エトキシル化ポリエチレンイミン、エトキシル化ヘキサメチレンジアミン、およびそれらの硫酸化バージョンを含んでいてもよいがこれらに限定されない。そのようなポリマーの有用な例は、ＢＡＳＦから入手可能なＨＰ２０、または下記の一般的な構造を有するポリマー：
ビス（（Ｃ２Ｈ５Ｏ）（Ｃ２Ｈ４Ｏ）ｎ）（ＣＨ３）−Ｎ＋−ＣｘＨ２ｘ−Ｎ＋−（ＣＨ３）−ビス（（Ｃ２Ｈ５Ｏ）（Ｃ２Ｈ４Ｏ）ｎ）［式中、ｎ＝２０〜３０であり、ｘ＝３〜８である］、またはその硫酸化もしくはスルホン化バリアントである。より優れたグリース除去および乳化を達成するために、ポリプロポキシル化−ポリエトキシル化両親媒性ポリエチレンイミン誘導体も含まれていてもよい。これらは、好ましくは内側ポリエチレンオキシドブロックおよび外側ポリプロピレンオキシドブロックを有する、アルコキシル化ポリアルキレンイミンを含んでいてもよい。洗剤組成物は、増強された飲料の染み除去に有用な、修飾されていないポリエチレンイミンを含有していてもよい。種々の分子量のＰＥＩは、商標名Ｌｕｐａｓｏｌ（登録商標）で、ＢＡＳＦ  Ｃｏｒｐｏｒａｔｉｏｎから市販されている。好適なＰＥＩの例は、Ｌｕｐａｓｏｌ  ＦＧ（登録商標）、Ｌｕｐａｓｏｌ  Ｇ−３５（登録商標）を含むがこれらに限定されない。
【００８２】
組成物は、ポリマー性分散剤として有用な、１種以上のカルボキシレートポリマー、たとえばマレエート／アクリレートランダムコポリマーまたはポリアクリレートホモポリマーを含んでいてもよい。アルコキシル化ポリカルボキシレート、たとえばポリアクリレートから調製されたものも、粘土分散性を提供するために有用である。そのような材料は、ＷＯ９１／０８２８１において記載されている。化学的に、これらの材料は、７〜８つのアクリレート単位ごとに１つのエトキシ側鎖を有するポリアクリレートを含む。側鎖は、式−（ＣＨ２ＣＨ２Ｏ）ｍ（ＣＨ２）ｎＣＨ３のものであり、式中、ｍは、２〜３であり、ｎは、６〜１２である。側鎖は、ポリアクリレート「主鎖」とエステルまたはエーテル結合して、「コーム」ポリマー型構造を提供する。
【００８３】
好ましい両親媒性グラフトコポリマーは、（ｉ）ポリエチレングリコール主鎖；ならびに（ｉｉ）ポリ酢酸ビニル、ポリビニルアルコールおよびそれらの混合物から選択される少なくとも１つのペンダント部分を含む。両親媒性グラフトコポリマーの例は、ＢＡＳＦから供給されるＳｏｋａｌａｎ  ＨＰ２２である。
【００８４】
ＷＯ２０１６／０４１６７６において記載されている通りのアルコキシル化置換フェノールも、粘土分散性を提供するポリマーの好適な例である。Ｃｌａｒｉａｎｔから入手可能なＨｏｓｔａｐａｌ  ＢＶ  Ｃｏｎｃ  Ｓ１０００は、ＡＳＰ分散剤の１つの非限定的な例である。
【００８５】
好ましくは、組成物は、１種以上の汚れ放出ポリマーを含む。好適な汚れ放出ポリマーは、ポリエステル汚れ放出ポリマー、たとえばＲｈｏｄｉａによって供給される、Ｒｅｐｅｌ−ｏ−ｔｅｘ  ＳＦ、ＳＦ−２およびＳＲＰ６を含む、Ｒｅｐｅｌ−ｏ−ｔｅｘポリマーである。他の好適な汚れ放出ポリマーは、Ｃｌａｒｉａｎｔによって供給される、Ｔｅｘｃａｒｅ  ＳＲＡ１００、ＳＲＡ３００、ＳＲＮ１００、ＳＲＮ１７０、ＳＲＮ２４０、ＳＲＮ２６０、ＳＲＮ３００およびＳＲＮ３２５を含む、Ｔｅｘｃａｒｅポリマーを含む。他の好適な汚れ放出ポリマーは、Ｍａｒｌｏｑｕｅｓｔポリマー、たとえばＳａｓｏｌによって供給される、Ｍａｒｌｏｑｕｅｓｔ  ＳＬ、ＨＳＣＢ、Ｌ２３５Ｍ、Ｂ、Ｇ８２である。他の好適な汚れ放出ポリマーは、ＵＳ９，３６５，８０６において記載されている通りの、メチルでキャップされたエトキシル化プロポキシル化汚れ放出ポリマーを含む。
【００８６】
好ましくは、組成物は、カルボキシメチルセルロース、メチルカルボキシメチルセルロース、スルホエチルセルロース、メチルヒドロキシエチルセルロース、カルボキシメチルキシログルカン、カルボキシメチルキシラン、スルホエチルガラクトマンナン、カルボキシメチルガラクトマンナン、ヒドロキシエチルガラクトマンナン、スルホエチルデンプン、カルボキシメチルデンプン、およびそれらの混合物から特に選択されていてもよい、１種以上の多糖を含む。本発明において使用するのに好適な他の多糖は、グルカンである。
好ましいグルカンは、グリコシド結合（すなわち、グルコシド結合）によって一緒に結合しているグルコースモノマー単位を含むポリマーであるポリアルファ−１，３−グルカンであり、ここで、グリコシド結合の少なくとも約５０％は、アルファ−１，３−グリコシド結合である。ポリアルファ−１，３−グルカンは、多糖の一種である。ポリアルファ−１，３−グルカンは、１種以上のグルコシルトランスフェラーゼ酵素を使用してスクロースから酵素的に生成することができ、たとえば米国特許第７，０００，０００号ならびに米国特許出願公開第２０１３／０２４４２８８号および同第２０１３／０２４４２８７号（これらのすべては参照によりここに組み込まれる）において記載されている。
【００８７】
組成物において使用するための他の好適な多糖は、カチオン性多糖である。カチオン性多糖の例は、カチオン性グアーガム誘導体、第四級窒素含有セルロースエーテル、ならびにエーテル化セルロース、グアーおよびデンプンのコポリマーである合成ポリマーを含む。使用する場合、ここでのカチオン性ポリマーは、組成物に可溶性であるか、または以上で記載したカチオン性ポリマーならびにアニオン性、両性および／もしくは両性イオン性界面活性剤成分によって形成された組成物中の複合コアセルベート相に可溶性であるかの何れかである。好適なカチオン性ポリマーは、米国特許第３，９６２，４１８号、同第３，９５８，５８１号、および米国公開第２００７／０２０７１０９Ａ１号において記載されている。
【００８８】
ポリマーは、他の洗剤原材料のための堆積助剤としても機能することができる。好ましい堆積助剤は、カチオン性および非イオン性ポリマーからなる群から選択される。好適なポリマーは、カチオン性デンプン、カチオン性ヒドロキシエチルセルロース、ポリビニルホルムアルデヒド、ローカストビーンガム、マンナン、キシログルカン、タマリンドガム、ポリエチレンテレフタレート、およびジメチルアミノエチルメタクリレートを含有するポリマーを含み、アクリル酸およびアクリルアミドを含む群から選択される１種以上のモノマーを任意に含有していてもよい。
追加のアミン
ポリアミンは、グリース除去を改良することが公知である。性能が好ましい環式および直鎖状アミンは、１，３−ビス（メチルアミン）−シクロヘキサン、４−メチルシクロヘキサン−１，３−ジアミン（ＢＡＳＦによって供給されるＢａｘｘｏｄｕｒ  ＥＣＸ  ２１０）、１，３プロパンジアミン、１，６ヘキサンジアミン、１，３ペンタンジアミン（Ｉｎｖｉｓｔａによって供給されるＤｙｔｅｋ  ＥＰ）、２−メチル１，５ペンタンジアミン（Ｉｎｖｉｓｔａによって供給されるＤｙｔｅｋ  Ａ）である。ＵＳ６７１００２３は、少なくとも３つのプロトン化可能なアミンを含有する前記ジアミンおよびポリアミンを含有する食器手洗い組成物を開示している。本発明に従うポリアミンは、洗浄ｐＨを上回る少なくとも１ｐｋａおよび約６より大きく洗浄ｐＨを下回る少なくとも２ｐｋａを有する。好ましいポリアミンは、Ｄｏｗ、ＢＡＳＦおよびＨｕｎｔｍａｎから市販されている、テトラエチレンペンタミン、ヘキサエチルヘキサミン、ヘプタエチルヘプタミン、オクタエチルオクタミン、ノネチルノナミンおよびそれらの混合物からなる群から選択される。とりわけ好ましいポリエーテルアミンは、ＵＳ９７５２１０１、ＵＳ９４８７７３９、ＵＳ９６３１１６３において記載されている通り、親油性修飾されている。
染料移行阻害剤（ＤＴＩ）
組成物は、１種以上の染料移行阻害剤を含んでいてもよい。本発明の一態様において、本発明者らは、驚くべきことに、指定された染料に加えてポリマー性染料移行阻害剤を含む組成物が、性能の改良を与えることを見出した。これは、これらのポリマーが染料堆積を防止することから、驚くべきことである。好適な染料移行阻害剤は、ポリビニルピロリドンポリマー、ポリアミンＮ−オキシドポリマー、Ｎ−ビニルピロリドンおよびＮ−ビニルイミダゾール、ポリビニルオキサゾリドンおよびポリビニルイミダゾールのコポリマーまたはそれらの混合物を含むがこれらに限定されない。好適な例は、Ａｓｈｌａｎｄ  Ａｑｕａｌｏｎ製の、ＰＶＰ−Ｋ１５、ＰＶＰ−Ｋ３０、ＣｈｒｏｍａＢｏｎｄ  Ｓ−４００、ＣｈｒｏｍａＢｏｎｄ  Ｓ−４０３ＥおよびＣｈｒｏｍａｂｏｎｄ  Ｓ−１００、ならびに、ＢＡＳＦ製の、Ｓｏｋａｌａｎ  ＨＰ１６５、Ｓｏｋａｌａｎ  ＨＰ５０、Ｓｏｋａｌａｎ  ＨＰ５３、Ｓｏｋａｌａｎ  ＨＰ５９、Ｓｏｋａｌａｎ（登録商標）ＨＰ５６Ｋ、Ｓｏｋａｌａｎ（登録商標）ＨＰ６６を含む。他の好適なＤＴＩは、ＷＯ２０１２／００４１３４において記載されている通りである。主題組成物中に存在する場合、染料移行阻害剤は、重量で組成物の約０．０００１％〜約１０％、約０．０１％〜約５％またはさらには約０．１％〜約３％のレベルで存在していてもよい。
酵素
酵素は、基材からの、タンパク質ベース、炭水化物ベースまたはトリグリセリドベースの染みの除去、織物洗濯における浮遊染料移動の防止のためおよび織物修復のためを含む多様な目的のために、クリーニング組成物に含まれていてもよい。好適な酵素は、任意の好適な起源、たとえば植物、動物、細菌、真菌および酵母起源の、プロテアーゼ、アミラーゼ、リパーゼ、カルボヒドラーゼ、セルラーゼ、オキシダーゼ、ペルオキシダーゼ、マンナナーゼ、およびそれらの混合物を含む。ここで記載されているクリーニング組成物において使用されていてもよい他の酵素は、ヘミセルラーゼ、ペルオキシダーゼ、プロテアーゼ、セルラーゼ、エンドグルカナーゼ、キシラナーゼ、リパーゼ、ホスホリパーゼ、アミラーゼ、グルコ−アミラーゼ、キシラナーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、もしくはそれらの混合物、エステラーゼ、マンナナーゼ、ペクチン酸リアーゼ、ならびにまたはそれらの混合物を含む。他の好適な酵素は、ヌクレアーゼ酵素を含む。組成物は、ヌクレアーゼ酵素を含んでいてもよい。ヌクレアーゼ酵素は、核酸のヌクレオチドサブユニット間のホスホジエステル結合を開裂することができる酵素である。ここでのヌクレアーゼ酵素は、好ましくは、デオキシリボヌクレアーゼもしくはリボヌクレアーゼ酵素またはその機能的フラグメントである。酵素選択は、要因、たとえばｐＨ活性および／または安定性の最適条件、熱安定性、ならびに活性洗剤、ビルダーなどに対する安定性によって影響を受ける。
【００８９】
酵素は、クリーニング組成物に、クリーニング組成物の０．０００１〜５重量％の活性酵素のレベルで組み込まれていてもよい。酵素は、別個の単一原料として、または２種以上の酵素の混合物として、添加され得る。
【００９０】
一部の態様において、リパーゼが使用されていてもよい。リパーゼは、Ｎｏｖｏｚｙｍｅｓ（Ｄｅｎｍａｒｋ）から商標名Ｌｉｐｅｘで購入することができる。アミラーゼ（Ｎａｔａｌａｓｅ（登録商標）、Ｓｔａｉｎｚｙｍｅ（登録商標）、Ｓｔａｉｎｚｙｍｅ  Ｐｌｕｓ（登録商標））は、Ｎｏｖｏｚｙｍｅｓ、Ｂａｇｓｖａｅｒｄ、Ｄｅｎｍａｒｋによって供給されていてもよい。プロテアーゼは、Ｇｅｎｅｎｃｏｒ  Ｉｎｔｅｒｎａｔｉｏｎａｌ、Ｐａｌｏ  Ａｌｔｏ、Ｃａｌｉｆ．、ＵＳＡ（たとえば、Ｐｕｒａｆｅｃｔ  Ｐｒｉｍｅ（登録商標））によって、またはＮｏｖｏｚｙｍｅｓ、Ｂａｇｓｖａｅｒｄ、Ｄｅｎｍａｒｋ（たとえば、Ｌｉｑｕａｎａｓｅ（登録商標）、Ｃｏｒｏｎａｓｅ（登録商標）、Ｓａｖｉｎａｓｅ（登録商標））によって供給されていてもよい。他の好ましい酵素は、ペクチン酸リアーゼ、好ましくは商標名Ｐｅｃｔａｗａｓｈ（登録商標）、Ｘｐｅｃｔ（登録商標）、Ｐｅｃｔａｗａｙ（登録商標）で販売されているもの、ならびに商標名Ｍａｎｎａｗａｙ（登録商標）（すべてＮｏｖｏｚｙｍｅｓ  Ａ／Ｓ、Ｂａｇｓｖａｅｒｄ、Ｄｅｎｍａｒｋ製）およびＰｕｒａｂｒｉｔｅ（登録商標）（Ｇｅｎｅｎｃｏｒ  Ｉｎｔｅｒｎａｔｉｏｎａｌ  Ｉｎｃ．、Ｐａｌｏ  Ａｌｔｏ、Ｃａｌｉｆｏｒｎｉａ）で販売されているマンナナーゼを含む。様々な酵素材料および合成クリーニング組成物へのそれらの組み込みのための手段は、ＷＯ９３０７２６３Ａ、ＷＯ９３０７２６０Ａ、ＷＯ８９０８６９４Ａ、米国特許第３，５５３，１３９号、同第４，１０１，４５７号および米国特許第４，５０７，２１９号において開示されている。液体クリーニング組成物に有用な酵素材料およびそのような組成物へのそれらの組み込みは、米国特許第４，２６１，８６８号において開示されている。
酵素安定化系
ここで記載されている酵素含有組成物は、重量で組成物の約０．００１％〜約１０％、一部の例において、約０．００５％〜約８％、他の例において、約０．０１％〜約６％の酵素安定化系を任意に含んでいてもよい。酵素安定化系は、洗浄性酵素と相溶性の任意の安定化系であることができる。そのような系は、他の調合活性物質によって生得的に提供されていてもよく、たとえば調合者によってまたは洗剤用の酵素の製造業者によって、別個に添加されていてもよい。そのような安定化系は、たとえば、カルシウムイオン、ホウ酸、プロピレングリコール、短鎖カルボン酸、ボロン酸、塩素系漂白剤スカベンジャーおよびそれらの混合物を含むことができ、クリーニング組成物のタイプおよび物理的形態に応じて、異なる安定化の問題に対処するように設計されている。ボレート安定剤の総説については、米国特許第４，５３７，７０６号を参照されたい。
キレート化剤
好ましくは、組成物は、キレート化剤および／または結晶成長阻害剤を含む。好適な分子は、銅、鉄および／またはマンガンキレート化剤ならびにそれらの混合物を含む。好適な分子は、アミノカルボキシレート、アミノホスホネート、スクシネート、それらの塩、およびそれらの混合物を含む。ここで使用するために好適なキレート剤の非限定的な例は、エチレンジアミン四酢酸、Ｎ−（ヒドロキシエチル）−エチレン−ジアミン−トリアセテート、ニトリロトリアセテート、エチレンジアミンテトラプロピオネート、トリエチレン−テトラアミン−ヘキサアセテート、ジエチレントリアミン−ペンタアセテート、エタノールジグリシン、エチレンジアミンテトラキス（メチレンホスホネート）、ジエチレントリアミンペンタ（メチレンホスホン酸）（ＤＴＰＭＰ）、エチレンジアミンジスクシネート（ＥＤＤＳ）、ヒドロキシエタンジメチレンホスホン酸（ＨＥＤＰ）、メチルグリシン二酢酸（ＭＧＤＡ）、ジエチレントリアミン五酢酸（ＤＴＰＡ）および１，２−ジヒドロキシベンゼン−３，５−ジスルホン酸（タイロン）、それらの塩、ならびにそれらの混合物を含む。タイロンおよび他のスルホン化カテコールも、有効な重金属キレート剤として使用されていてもよい。本発明における使用のキレート剤の他の非限定的な例は、米国特許第７４４５６４４号、同第７５８５３７６号および２００９／０１７６６８４Ａ１において見られる。ここで使用するための他の好適なキレート化剤は、市販のＤＥＱＵＥＳＴシリーズ、ならびにＭｏｎｓａｎｔｏ、ＤｕＰｏｎｔおよびＮａｌｃｏ  Ｉｎｃ製のキレート剤である。
増白剤
光学的増白剤または他の増白剤もしくは白色化剤が、組成物の約０．０１〜約１．２重量％のレベルで、ここで記載されているクリーニング組成物に組み込まれていてもよい。
ここで使用されていてもよい市販の光学的増白剤は、スチルベン、ピラゾリン、クマリン、カルボン酸、メチンシアニン、ジベンゾチオフェン−５，５−ジオキシド、アゾール、５および６員環のヘテロ環の誘導体、ならびに他の種々雑多な作用物質を含むが必ずしもこれらに限定されるとは限らない、下位群に分類され得る。そのような増白剤の例は、「Ｔｈｅ  Ｐｒｏｄｕｃｔｉｏｎ  ａｎｄ  Ａｐｐｌｉｃａｔｉｏｎ  ｏｆ  Ｆｌｕｏｒｅｓｃｅｎｔ  Ｂｒｉｇｈｔｅｎｉｎｇ  Ａｇｅｎｔｓ」、Ｍ．Ｚａｈｒａｄｎｉｋ、Ｊｏｈｎ  Ｗｉｌｅｙ＆Ｓｏｎｓ、Ｎｅｗ  Ｙｏｒｋ（１９８２）において開示されている。
本発明の組成物において有用となり得る光学的増白剤の具体的な非限定的な例は、米国特許第４，７９０，８５６号および米国特許第３，６４６，０１５号において同定されているものである。非常に好ましい増白剤は、ジナトリウム４，４’−ビス｛［４−アニリノ−６−［ビス（２−ヒドロキシエチル）アミノ−ｓ−トリアジン−２−イル］−アミノ｝−２，２’−スチルベンジスルホネート、４，４’−ビス｛［４−アニリノ−６−モルホリノ−ｓ−トリアジン−２−イル］−アミノ｝−２，２’−スチルベンジスルホネート、ジナトリウム４，４”−ビス［（４，６−ジ−アニリノ−ｓ−トリアジン−２−イル）−アミノ］−２，２’−スチルベンジスルホネートおよびジナトリウム４，４’−ビス−（２−スルホスチリル）ビフェニルを含む。
漂白剤
組成物は、１種以上の漂白剤を含むことが好ましい場合がある。好適な漂白剤は、光漂白剤、過酸化水素、過酸化水素の供給源、予め形成された過酸およびそれらの混合物を含む。
【００９１】
（１）光漂白剤、たとえばスルホン化亜鉛フタロシアニン、スルホン化アルミニウムフタロシアニン、キサンテン染料およびそれらの混合物、
（２）予め形成された過酸：好適な予め形成された過酸は、予め形成されたペルオキシ酸からなる群から選択される化合物、またはそれらの塩、典型的には、過カルボン酸および塩、過炭酸および塩、過イミド酸および塩、ペルオキシモノスルホン酸および塩、たとえば、Ｏｘｏｎｅ（登録商標）、ならびにそれらの混合物を含むがこれらに限定されない。好適な例は、ペルオキシカルボン酸もしくはその塩、またはペルオキシスルホン酸もしくはその塩を含む。特に好ましいペルオキシ酸は、フタルイミド−ペルオキシ−アルカン酸、特にε−フタルイミドペルオキシヘキサン酸（ＰＡＰ）である。好ましくは、過酸またはその塩は、３０℃〜６０℃の範囲内の融点を有する。
【００９２】
（３）過酸化水素の供給源、たとえば、アルカリ金属塩、たとえば過ホウ酸塩（通常は一または四水和物）、過炭酸塩、過硫酸塩、過リン酸塩、過ケイ酸塩およびそれらの混合物のナトリウム塩を含む、無機過酸化水素化物塩。
織物シェーディング染料（shading dye）
織物シェーディング染料（時に、色相付与剤、青味剤または白色化剤と称される）は、典型的には、青色または紫色のシェーディングを織物に提供する。そのような染料は、当技術分野において周知であり、色相付与の具体的なシェーディングを作成するためおよび／または異なる織物タイプをシェーディングするために、単独でまたは組み合わせての何れかで使用されていてもよい。織物シェーディング染料は、アクリジン、アントラキノン（多環式キノンを含む）、アジン、アゾ（たとえば、モノアゾ、ジスアゾ、トリスアゾ、テトラキスアゾ、ポリアゾ）、ベンゾジフラン、ベンゾジフラノン、カロテノイド、クマリン、シアニン、ジアザヘミシアニン、ジフェニルメタン、ホルマザン、ヘミシアニン、インジゴイド、メタン、ナフタルイミド、ナフトキノン、ニトロ、ニトロソ、オキサジン、フタロシアニン、ピラゾール、スチルベン、スチリル、トリアリールメタン、トリフェニルメタン、キサンテンおよびそれらの混合物を含むがこれらに限定されない、当技術分野において公知の通りの任意の化学クラスの染料から選択されていてもよい。本発明の洗濯ケア組成物中に存在する補助織物シェーディング染料の量は、典型的には、全クリーニング組成物に基づき、０．０００１〜０．０５重量％、好ましくは０．０００１〜０．００５重量％である。洗浄液に基づき、織物シェーディング染料の濃度は、典型的には、１ｐｐｂ〜５ｐｐｍ、好ましくは１０ｐｐｂ〜５００ｐｐｂである。
【００９３】
好適な織物シェーディング染料は、小分子染料、ポリマー性染料および染料−粘土コンジュゲートを含む。好ましい織物シェーディング染料は、小分子染料およびポリマー性染料から選択される。好適な小分子染料は、酸、直接、塩基性、反応性、溶媒または分散染料のカラーインデックス（Colour Index）（Ｃ．Ｉ．、英国染料染色学会（Society of Dyers and Colourists）、Ｂｒａｄｆｏｒｄ、ＵＫ）分類に入る染料からなる群から選択されていてもよい。
【００９４】
好適なポリマー性染料は、共有結合した（時に、コンジュゲートとも称される）クロモゲン（染料−ポリマーコンジュゲートとしても公知である）を含有するポリマー、たとえばポリマーの主鎖にクロモゲンモノマーが共重合されたポリマーおよびそれらの混合物からなる群から選択される染料を含む。好ましいポリマー性染料は、任意に置換されていてもよいアルコキシル化染料、たとえばアルコキシル化トリフェニル−メタンポリマー性着色剤、アルコキシル化チオフェンポリマー性着色剤を含むアルコキシル化炭素環式およびアルコキシル化ヘテロ環式アゾ着色剤、ならびにそれらの混合物、たとえばＬｉｑｕｉｔｉｎｔ（登録商標）の名称で販売されている織物に実質的な着色剤（Ｍｉｌｌｉｋｅｎ、Ｓｐａｒｔａｎｂｕｒｇ、Ｓｏｕｔｈ  Ｃａｒｏｌｉｎａ、ＵＳＡ）を含む。
【００９５】
好適な染料粘土コンジュゲートは、少なくとも１種のカチオン性／塩基性染料およびスメクタイト粘土を含む群から選択される染料粘土コンジュゲートを含み；好ましい粘土は、モンモリロナイト粘土、ヘクトライト粘土、サポナイト粘土およびそれらの混合物からなる群から選択されていてもよい。
【００９６】
顔料は、当技術分野において周知であり、ここでの洗濯ケア組成物において使用されていてもよい。好適な顔料は、Ｃ．Ｉ．ピグメントブルー１５〜２０、とりわけ１５および／または１６、Ｃ．Ｉ．ピグメントブルー２９、Ｃ．Ｉ．ピグメントバイオレット１５、モナストラルブルーならびにそれらの混合物を含む。
ビルダー
本発明のクリーニング組成物は、ビルダーを任意に含んでいてもよい。
【００９７】
アルミノシリケートおよびシリケートから選択されるビルダーは、洗浄水中での鉱物硬度を制御することを補助する、または表面からの粒子状の汚れの除去を補助するためのものである。好適なビルダーは、ホスフェートポリホスフェート、とりわけそのナトリウム塩；カーボネート、ビカーボネート、セスキカーボネート、および炭酸ナトリウムまたはセスキカーボネート以外の炭酸塩鉱物；有機モノ−、ジ−、トリ−およびテトラカルボキシレート、とりわけ酸、ナトリウム、カリウムまたはアルカノールアンモニウム塩形態の水溶性非界面活性剤カルボキシレート、ならびに脂肪族および芳香族タイプを含むオリゴマー性または水溶性低分子量ポリマーカルボキシレート；ならびにフィチン酸からなる群から選択されていてもよい。これらは、ボレートによって、たとえばｐＨ緩衝目的のために、またはスルフェート、とりわけ硫酸ナトリウムならびに安定な界面活性剤および／もしくはビルダー含有クリーニング組成物のエンジニアリングに重要となり得る任意の他の賦形剤もしくは担体によって、補完されていてもよい。
ｐＨ緩衝液系
組成物は、ｐＨ緩衝液系を含んでいてもよい。ここでのクリーニング組成物は、水性クリーニング操作で使用中、洗浄水が、約６．０乃至約１２、一部の例において、約７．０乃至１１のｐＨを有するように調合されていてもよい。ｐＨを推奨される使用レベルに制御するための技術は、緩衝液、アルカリまたは酸の使用を含み、当業者に周知である。これらは、炭酸ナトリウム、クエン酸またはクエン酸ナトリウム、モノエタノールアミンまたは他のアミン、ホウ酸またはボレート、および当技術分野において周知である他のｐＨ調整化合物の使用を含むがこれらに限定されない。ここでのクリーニング組成物は、クエン酸の放出を遅延させることにより、動的な洗浄中ｐＨプロファイルを含んでいてもよい。
構造化剤／増粘剤
構造化された液体は、内部的に構造化され、それにより、構造が主原料（たとえば、界面活性剤材料）によって形成され得るか、かつ／または副原料（たとえば、ポリマー、粘土および／またはシリケート材料）を使用して三次元マトリックス構造を提供することによって外部的に構造化され得る。組成物は、組成物の約０．０１〜約５重量％の構造化剤、一部の例において、組成物の約０．１〜約２．０重量％の構造化剤を含んでいてもよい。構造化剤は、ジグリセリドおよびトリグリセリド、エチレングリコールジステアレート、微結晶性セルロース、セルロースベースの材料、マイクロファイバーセルロース、バイオポリマー、キサンタンガム、ゲランガム、ならびにそれらの混合物からなる群から選択されていてもよい。一部の例において、好適な構造化剤は、水素化ヒマシ油、およびその非エトキシル化誘導体を含む。他の好適な構造化剤は、米国特許第６，８５５，６８０号において開示されている。そのような構造化剤は、様々なアスペクト比を有する糸状構造システムを有する。さらなる好適な構造化剤およびそれらを作製するための方法は、ＷＯ２０１０／０３４７３６において記載されている。
泡抑制剤
泡の形成を低減させるまたは抑制するための化合物を、ここで記載されているクリーニング組成物に組み込むことができる。泡抑制は、米国特許第４，４８９，４５５号、同第４，４８９，５７４号において記載されている通りのいわゆる「高濃度クリーニング方法」において、およびフロントローディング式洗濯機において、特に重要となり得る。
【００９８】
多種多様な材料が泡抑制剤として使用されていてもよく、泡抑制剤は、当業者に周知である。たとえば、Ｋｉｒｋ  Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ、第３版、第７巻、４３０〜４４７頁（Ｊｏｈｎ  Ｗｉｌｅｙ＆Ｓｏｎｓ，Ｉｎｃ．、１９７９）を参照されたい。泡抑制剤の例は、モノカルボン脂肪酸、およびその中の可溶性塩、高分子量炭化水素、たとえばパラフィン、脂肪酸エステル（たとえば、脂肪酸トリグリセリド）、一価アルコールの脂肪酸エステル、脂肪族Ｃ１８〜Ｃ４０ケトン（たとえば、ステアロン）、Ｎ−アルキル化アミノトリアジン、好ましくは約１００℃未満の融点を有するワックス状炭化水素、シリコーン泡抑制剤、ならびに第二級アルコールを含む。泡抑制剤は、米国特許第２，９５４，３４７号、同第４，０７５，１１８号、同第４，２６５，７７９号、同第４，２６５，７７９号、同第３，４５５，８３９号、同第３，９３３，６７２号、同第４，６５２，３９２号、同第４，９７８，４７１号、同第４，９８３，３１６号、同第５，２８８，４３１号、同第４，６３９，４８９号、同第４，７４９，７４０号および同第４，７９８，６７９号において記載されている。
【００９９】
ここでのクリーニング組成物は、組成物の０〜約１０重量％の泡抑制剤を含んでいてもよい。泡抑制剤として利用される場合、モノカルボン脂肪酸およびその塩は、クリーニング組成物の最大約５重量％の量で存在していてもよく、一部の例において、クリーニング組成物の約０．５〜約３重量％であってもよい。シリコーン泡抑制剤は、クリーニング組成物の最大約２．０重量％の量で利用されていてもよいが、より高い量が使用されていてもよい。モノステアリルホスフェート泡抑制剤は、クリーニング組成物の約０．１〜約２重量％の範囲の量で利用されていてもよい。炭化水素泡抑制剤は、クリーニング組成物の約０．０１〜約５．０重量％の範囲の量で利用されていてもよいが、より高いレベルを使用することができる。アルコール泡抑制剤は、クリーニング組成物の約０．２〜約３重量％で使用されていてもよい。
泡ブースター
高い泡立ちが所望される場合、泡ブースター、たとえばＣ１０〜Ｃ１６アルカノールアミドを、クリーニング組成物中に、クリーニング組成物の約１〜約１０重量％で組み込んでいてもよい。一部の例は、Ｃ１０〜Ｃ１４モノエタノールおよびジエタノールアミドを含む。所望ならば、水溶性マグネシウムおよび／またはカルシウム塩、たとえばＭｇＣｌ２、ＭｇＳＯ４、ＣａＣｌ２、ＣａＳＯ４などを、クリーニング組成物の約０．１〜約２重量％のレベルで添加して、追加の泡を提供し、グリース除去性能を増強していてもよい。
賦形剤および担体
賦形剤および担体が、ここで記載されているクリーニング組成物において使用されていてもよい。ここで使用される場合、用語「賦形剤」および「担体」は、同じ意味を有し、交換可能に使用され得る。液体クリーニング組成物、および液体成分を含むクリーニング組成物の他の形態（たとえば液体含有一回量包装クリーニング組成物）は、水または他の溶媒を賦形剤または担体として含有していてもよい。メタノール、エタノール、プロパノール、イソプロパノールおよびフェノキシエタノールによって例示される、低分子量第一級または第二級アルコールが好適である。一価アルコールは、一部の例において、界面活性剤、ならびにポリオール、たとえば２〜約６個の炭素原子および２〜約６つのヒドロキシ基（たとえば、１，２−プロパンジオール、１，３−プロパンジオール、２，３−ブタンジオール、エチレングリコールおよびグリセリンが使用されていてもよい）を含有するものを、可溶化するために使用されていてもよい。アミン含有溶媒が使用されていてもよい。
使用方法
本発明は、織物を白くするための方法を含む。消費者への販売に好適なコンパクトな流体洗剤組成物は、洗濯前処理用途、洗濯クリーニング用途およびホームケア用途において使用するのに適している。そのような方法は、未希釈形態または洗浄液中で希釈した洗剤組成物を、汚れていてもいなくてもよい織物の少なくとも一部と接触させる工程、次いで、織物を任意にリンスする工程を含むがこれらに限定されない。織物材料は、洗浄工程の後、任意選択のリンスする工程に供されていてもよい。機械洗濯方法は、有効量の本発明に従う機械洗濯洗剤組成物が溶解または分注された洗濯機内、汚れた洗濯物を洗浄水溶液で処理することを含んでいてもよい。洗剤組成物の「有効量」は、約５Ｌ〜約６５Ｌの体積の洗浄溶液中に溶解または分注された約２０ｇ〜約３００ｇの製品を意味する。水温は、約５℃〜約１００℃の範囲であってもよい。水対汚れた材料（たとえば、織物）の比は、約１：１〜約３０：１であってもよい。組成物は、溶液中約５００ｐｐｍ〜約１５，０００ｐｐｍの濃度で使用されていてもよい。織物洗濯組成物の文脈において、使用レベルは、汚れおよび染みのタイプおよび重大度だけではなく、洗浄水温度、洗浄水の体積、および洗濯機のタイプ（たとえば、トップローディング式、フロントローディング式、垂直軸日本型自動洗濯機）に応じて変動していてもよい。
【０１００】
ここでの洗剤組成物は、低減させた洗浄温度での織物の洗濯に使用されていてもよい。
織物を洗濯するこれらの方法は、洗濯洗剤組成物を水に送達して洗浄液を形成する工程と、洗濯する織物を前記洗浄液に添加する工程とを含み、ここで、洗浄液は、約０℃〜約２０℃、または約０℃〜約１５℃、または約０℃〜約９℃の温度を有する。織物は、洗濯洗剤組成物を水と接触させる前に、または後に、またはそれと同時に、水と接触させられていてもよい。別の方法は、洗剤組成物を含浸させた不織布基材を、汚れた材料と接触させることを含む。ここで使用される場合、「不織布基材」は、好適な基本重量、キャリパー（厚さ）、吸収性および強度特性を有する、任意の従来のように作られた不織布シートまたはウェブを含むことができる。好適な市販の不織布基材の非限定的な例は、ＤｕＰｏｎｔにより商標名ＳＯＮＴＡＲＡ（登録商標）およびＪａｍｅｓ  Ｒｉｖｅｒ  ＣｏｒｐによりＰＯＬＹ  ＷＥＢ（登録商標）で市販されているものを含む。
【０１０１】
手洗い／浸漬方法、および半自動洗濯機を用いる複合手洗いも含まれる。
組成物用の包装
ここで記載されているクリーニング組成物は、紙、ボール紙、プラスチック材料および任意の好適な積層板から構成されているものを含む、任意の好適な容器内に包装され得る。任意選択の包装タイプは、欧州出願第９４９２１５０５．７号において記載されている。
マルチコンパートメントポーチ
ここで記載されているクリーニング組成物は、マルチコンパートメントクリーニング組成物として包装されていてもよい。
他の補助原料
たとえば、他の活性原料、担体、ヒドロトロープ、加工助剤、染料または顔料、液体調合物用の溶媒、固体または他の液体賦形剤、エリスロシン、コロイダルシリカ、ワックス、プロバイオティクス、サーファクチン、アミノセルロースポリマー、リシノール酸亜鉛、香料マイクロカプセル、ラムノ脂質、ソホロ脂質、糖ペプチド、メチルエステルエトキシレート、スルホン化エストリド、開裂可能な界面活性剤、バイオポリマー、シリコーン、変性シリコーン、アミノシリコーン、堆積助剤、ヒドロトロープ（とりわけクメン−スルホン酸塩、トルエン−スルホン酸塩、キシレン−スルホン酸塩およびナフタレン塩）、ＰＶＡ粒子カプセル化染料または香料、真珠光沢剤、発泡剤、変色系、シリコーンポリウレタン、乳白剤、錠剤崩壊剤、バイオマス賦形剤、速乾性シリコーン、グリコールジステアレート、デンプン香水カプセル化物；炭化水素油、ポリオレフィンおよび脂肪エステルを含む乳化油、ビスフェノール酸化防止剤、微小繊維状セルロース構造化剤、プロ香料、スチレン／アクリレートポリマー、トリアジン、石鹸、スーパーオキシドディスムターゼ、ベンゾフェノンプロテアーゼ阻害剤、官能化ＴｉＯ２、リン酸ジブチル、シリカ香料カプセル、ならびに他の補助原料、コリンオキシダーゼ、トリアリールメタンブルーおよびバイオレット塩基性染料、メチンブルーおよびバイオレット塩基性染料、アントラキノンブルーおよびバイオレット塩基性染料、アゾ染料ベーシックブルー１６、ベーシックブルー６５、ベーシックブルー６６、ベーシックブルー６７、ベーシックブルー７１、ベーシックブルー１５９、ベーシックバイオレット１９、ベーシックバイオレット３５、ベーシックバイオレット３８、ベーシックバイオレット４８、オキサジン染料、ベーシックブルー３、ベーシックブルー７５、ベーシックブルー９５、ベーシックブルー１２２、ベーシックブルー１２４、ベーシックブルー１４１、ナイルブルーＡおよびキサンテン染料ベーシックバイオレット１０、アルコキシル化トリフェニルメタンポリマー性着色剤；アルコキシル化チオフェン、ポリマー性着色剤；チアゾリウム染料、雲母、二酸化チタン被覆雲母、オキシ塩化ビスマス、ならびに他の活性物質を含む、多種多様な他の原料が、ここでのクリーニング組成物において使用されていてもよい。
【０１０２】
酸化防止剤：組成物は、組成物中に約０．００１〜約２重量％で存在する酸化防止剤を任意に含有していてもよい。好ましくは、酸化防止剤は、０．０１〜０．０８重量％の範囲内の濃度で存在する。酸化防止剤の混合物が使用されていてもよい。
【０１０３】
本発明において使用される酸化防止剤の１つのクラスは、アルキル化フェノールである。ヒンダードフェノール系化合物は、この式を有する好ましいタイプのアルキル化フェノールである。好ましいこのタイプのヒンダードフェノール系化合物は、３，５−ジ−ｔｅｒｔ−ブチル−４−ヒドロキシトルエン（ＢＨＴ）である。
【０１０４】
さらに、組成物において使用される酸化防止剤は、□−、□−、□−、□−トコフェロール、エトキシキン、２，２，４−トリメチル−１，２−ジヒドロキノリン、２，６−ジ−ｔｅｒｔ−ブチルヒドロキノン、ｔｅｒｔ−ブチルヒドロキシアニソール、リグノスルホン酸およびそれらの塩、ならびにそれらの混合物からなる群から選択されていてもよい。
【０１０５】
ここで記載されているクリーニング組成物は、ビタミンおよびアミノ酸、たとえば、水溶性ビタミンおよびそれらの誘導体、水溶性アミノ酸およびそれらの塩および／または誘導体、非水溶性アミノ酸粘度調節剤、染料、不揮発性溶媒または希釈剤（水溶性および非水溶性）、真珠光沢助剤、殺シラミ剤、ｐＨ調整剤、保存剤、皮膚活性剤、サンスクリーン剤、ＵＶ吸収剤、ナイアシンアミド、カフェインおよびミノキシジルを含有していてもよい。
【０１０６】
本発明のクリーニング組成物は、顔料材料、たとえばニトロソ、モノアゾ、ジスアゾ、カロテノイド、トリフェニルメタン、トリアリールメタン、キサンテン、キノリン、オキサジン、アジン、アントラキノン、インジゴイド、チオンインジゴイド、キナクリドン、フタロシアニン、植物性、および水溶性成分、たとえばＣ．Ｉ．名を有するものを含む天然色を含有していてもよい。
【０１０７】
本発明のクリーニング組成物は、抗菌剤を含有していてもよい。カチオン性活性原料は、無機または有機対イオン、たとえば臭素、カーボネート、またはジアルキルジメチルアンモニウムカーボネートを含む他の部分を持つ、第四級種、たとえば塩化ベンゼトニウムおよび第四級アンモニウム化合物も含む、ｎ−アルキルジメチルベンジルアンモニウムクロリド、アルキルジメチルエチルベンジルアンモニウムクロリド、ジアルキルジメチル第四級アンモニウム化合物、たとえばジデシルジメチルアンモニウムクロリド、Ｎ，Ｎ−ジデシル−Ｎメチル−ポリ（オキシエチル）アンモニウムプロピオネート、ジオクチルジデシルアンモニウムクロリド、ならびに、抗菌アミン、たとえばグルコン酸クロルヘキシジン、ＰＨＭＢ（ポリヘキサメチレンビグアニド）、ビグアニドの塩、置換ビグアニド誘導体、第四級アンモニウム含有化合物の有機塩もしくは第四級アンモニウム含有化合物の無機塩またはそれらの混合物を含んでいてもよいがこれらに限定されない。
【０１０８】
一側面において、そのような方法は、前記表面または織物を任意に洗浄するおよび／またはリンスする工程を含み、前記表面または織物を、本明細書において開示されている任意の組成物と接触させ、次いで、前記表面または織物を任意に洗浄するおよび／またはリンスすることが、任意選択の乾燥工程とともに開示されている。
【０１０９】
そのような表面または織物の乾燥は、家庭用または工業用の何れかの設定において使用される一般的手段の何れか１つによって遂行され得る。普通の消費者または制度的使用条件で洗濯されることができる任意の織物を含んでいてもよく、本発明は、セルロース系基材に好適であり、一部の側面において、合成テキスタイル、たとえばポリエステルおよびナイロンならびに合成およびセルロース系織物および／または繊維を含む混合織物および／または繊維の処理にも好適である。合成織物の例としては、ポリエステル、ナイロンであり、これらは、セルロース系繊維との混合物、たとえば、ポリ綿織物で存在していてもよい。溶液は、典型的には、７〜１１、より通常は８〜１０．５のｐＨを有する。組成物は、典型的には、溶液中５００ｐｐｍ〜５，０００ｐｐｍの濃度で使用される。水温は、典型的には、約５℃〜約９０℃の範囲である。水対織物の比は、典型的には、約１：１〜約３０：１である。
【０１１０】
したがって、第３の態様において、本発明は、テキスタイルを処理する方法を提供する。この方法は、好ましくは、（ｉ）テキスタイルを、ここで記載されている通りロイコ組成物を含有する水溶液で処理する工程と、（ｉｉ）任意に、テキスタイルをリンスする工程と、（ｉｉｉ）テキスタイルを乾燥させる工程とを含む。一側面において、本発明は、テキスタイルを処理する方法であって、（ｉ）テキスタイルを、ここで記載されている通りロイコ組成物を含有する、１０ｐｐｂ〜５０００ｐｐｍの少なくとも１種のロイコ化合物および０．０ｇ／Ｌ〜３ｇ／Ｌの界面活性剤を含む水溶液で処理する工程と、（ｉｉ）任意に、リンスする工程と、（ｉｉｉ）テキスタイルを乾燥させる工程とを含む、方法を提供する。この方法で利用されるロイコ組成物は、ここで記載されているロイコ組成物の何れかであり得る。さらに、この方法で利用される水溶液は、ロイコ組成物を水性媒体に直接添加することによって、またはロイコ組成物を含有する洗濯ケア組成物を水性媒体に添加することによって作成することができる。
【０１１１】
［例］
調合物例
下記は、本開示に従うクリーニング組成物の例証的な例であり、限定を意図するものではない。
【０１１２】
例１〜７
重質液体洗濯洗剤組成物
【０１１３】
【化９−１】
2020537008.tif 000010
【０１１４】
【化９−２】
2020537008.tif 000011
【０１１５】
総クリーニングおよび／または処理組成物重量に基づく。酵素レベルは、原材料として報告される。
【０１１６】
例８〜１８
一回量包装組成物
これらの例は、一回量包装洗濯洗剤用の種々の調合物を提供する。組成物８〜１２は、単一の一回量包装コンパートメントを含む。組成物をカプセル化するために使用される膜は、ポリビニル−アルコールベースの膜である。
【０１１７】
【化１０−１】
2020537008.tif 000012
【０１１８】
【化１０−２】
2020537008.tif 000013
【０１１９】
総クリーニングおよび／または処理組成物重量に基づく。酵素レベルは、原材料として報告される。
【０１２０】
下記の例において、一回量包装は３つのコンパートメントを有するが、同様の組成物は、２つ、４つまたは５つのコンパートメントで作製され得る。コンパートメントをカプセル化するために使用される膜は、ポリビニルアルコールである。
【０１２１】
【化１１】
2020537008.tif 000014
【０１２２】
【化１２】
2020537008.tif 000015
【０１２３】
総クリーニングおよび／または処理組成物重量に基づき、酵素レベルは、原材料として報告される。
【０１２４】
例１９〜２４
手洗いまたは洗濯機、典型的にはトップローディング式洗濯機のための顆粒状洗濯洗剤組成物。
【０１２５】
【化１３−１】
2020537008.tif 000016
【０１２６】
【化１３−２】
2020537008.tif 000017
【０１２７】
例２５〜３０
典型的にはフロントローディング式自動洗濯機のための顆粒状洗濯洗剤組成物。
【０１２８】
【化１４−１】
2020537008.tif 000018
【０１２９】
【化１４−２】
2020537008.tif 000019
【０１３０】
ＡＥ１．８Ｓは、Ｃ１２〜１５アルキルエトキシ（１．８）スルフェートである
ＡＥ３Ｓは、Ｃ１２〜１５アルキルエトキシ（３）スルフェートである
ＡＥ７は、７の平均エトキシル化度を持つＣ１２〜１３アルコールエトキシレートである
ＡＥ８は、８の平均エトキシル化度を持つＣ１２〜１３アルコールエトキシレートである
ＡＥ９は、９の平均エトキシル化度を持つＣ１２〜１３アルコールエトキシレートである
アミラーゼ１は、Ｎｏｖｏｚｙｍｅｓによって供給されるＳｔａｉｎｚｙｍｅ（登録商標）、１５ｍｇ活性物質／ｇである
アミラーゼ２は、Ｎｏｖｏｚｙｍｅｓによって供給されるＮａｔａｌａｓｅ（登録商標）、２９ｍｇ活性物質／ｇである
アミラーゼ３は、Ｎｏｖｏｚｙｍｅｓによって供給されるＳｔａｉｎｚｙｍｅ  Ｐｌｕｓ（登録商標）、２０ｍｇ活性物質／ｇである
ＡＳは、Ｃ１２〜１４アルキルスルフェートである
セルラーゼ２は、Ｎｏｖｏｚｙｍｅｓによって供給されるＣｅｌｌｕｃｌｅａｎ（商標）、１５．６ｍｇ活性物質／ｇである
キシログルカナーゼは、Ｎｏｖｏｚｙｍｅｓによって供給されるＷｈｉｔｅｚｙｍｅ（登録商標）、２０ｍｇ活性物質／ｇである
キレート剤１は、ジエチレントリアミンペンタアセテート酸である
キレート剤２は、１−ヒドロキシエタン１，１−ジホスホン酸である
キレート剤３は、エチレンジアミン−Ｎ，Ｎ’−ジコハク酸、（Ｓ，Ｓ）異性体（ＥＤＤＳ）のナトリウム塩である
ディスパーシンＢは、１０００ｍｇ活性物質／ｇとして報告されるグリコシドヒドロラーゼである
ＤＴＩ１は、ポリ（４−ビニルピリジン−１−オキシド）（たとえばＣｈｒｏｍａｂｏｎｄ  Ｓ−４０３Ｅ（登録商標））またはポリ（１−ビニルピロリドン−コ−１−ビニルイミダゾール）（たとえばＳｏｋａｌａｎ  ＨＰ５６（登録商標））の何れかである。
【０１３１】
染料制御剤  本発明に従う染料制御剤、たとえば、Ｓｕｐａｒｅｘ（登録商標）Ｏ．ＩＮ（Ｍ１）、Ｎｙｌｏｆｉｘａｎ（登録商標）Ｐ（Ｍ２）、Ｎｙｌｏｆｉｘａｎ（登録商標）ＰＭ（Ｍ３）またはＮｙｌｏｆｉｘａｎ（登録商標）ＨＦ（Ｍ４）
ＨＳＡＳは、ＵＳ６，０２０，３０３およびＵＳ６，０６０，４４３において開示されている通りの中分枝アルキルスルフェートである
ＬＡＳは、平均脂肪族炭素鎖長Ｃ９〜Ｃ１５を有する直鎖状アルキルベンゼンスルホネートである（ＨＬＡＳは、酸形態である）。
【０１３２】
ロイコ化合物  本発明に従う任意の好適なロイコ化合物またはそれらの混合物。
【０１３３】
リパーゼは、Ｎｏｖｏｚｙｍｅｓによって供給されるＬｉｐｅｘ（登録商標）、１８ｍｇ活性物質／ｇである
Ｌｉｑｕｉｔｉｎｔ（登録商標）Ｖ２００は、Ｍｉｌｌｉｋｅｎによって提供されるチオフェンアゾ染料である
マンナナーゼは、Ｎｏｖｏｚｙｍｅｓによって供給されるＭａｎｎａｗａｙ（登録商標）、２５ｍｇ活性物質／ｇである
ヌクレアーゼは、１０００ｍｇ活性物質／ｇとして報告されるホスホジエステラーゼ配列番号１である
光学的増白剤１は、ジナトリウム４，４’−ビス｛［４−アニリノ−６−モルホリノ−ｓ−トリアジン−２−イル］−アミノ｝−２，２’−スチルベンジスルホネートである
光学的増白剤２は、ジナトリウム４，４’−ビス−（２−スルホスチリル）ビフェニル（ナトリウム塩）である
光学的増白剤３は、３Ｖ  Ｓｉｇｍａ製のＯｐｔｉｂｌａｎｃ  ＳＰＬ１０（登録商標）である
香水カプセル化物は、コア−シェルメラミンホルムアルデヒド香水マイクロカプセルである。
【０１３４】
光漂白剤は、スルホン化亜鉛フタロシアニンである
研磨酵素は、１０００ｍｇ活性物質／ｇとして報告されるパラ−ニトロベンジルエステラーゼである
ポリマー１は、ビス（（Ｃ２Ｈ５Ｏ）（Ｃ２Ｈ４Ｏ）ｎ）（ＣＨ３）−Ｎ＋−ＣｘＨ２ｘ−Ｎ＋−（ＣＨ３）−ビス（（Ｃ２Ｈ５Ｏ）（Ｃ２Ｈ４Ｏ）ｎ）［ここで、ｎ＝２０〜３０、ｘ＝３〜８である］またはその硫酸化もしくはスルホン化バリアントである
ポリマー２は、エトキシル化（ＥＯ１５）テトラエチレンペンタミンである
ポリマー３は、エトキシル化ポリエチレンイミンである
ポリマー４は、エトキシル化ヘキサメチレンジアミンである
ポリマー５は、Ｒｏｈｍ＆Ｈａａｓによって提供されるＡｃｕｓｏｌ  ３０５である
ポリマー６は、ＢＡＳＦによって提供される、酢酸ビニル側鎖でグラフト化したポリエチレングリコールポリマーである。
【０１３５】
プロテアーゼは、ＤｕＰｏｎｔによって供給されるＰｕｒａｆｅｃｔ  Ｐｒｉｍｅ（登録商標）、４０．６ｍｇ活性物質／ｇである
プロテアーゼ２は、Ｎｏｖｏｚｙｍｅｓによって供給されるＳａｖｉｎａｓｅ（登録商標）、３２．８９ｍｇ活性物質／ｇである
プロテアーゼ３は、ＤｕＰｏｎｔによって供給されるＰｕｒａｆｅｃｔ（登録商標）、８４ｍｇ活性物質／ｇである
第四級アンモニウムは、Ｃ１２〜１４ジメチルヒドロキシエチルアンモニウムクロリドである
Ｓ−ＡＣＭＣは、Ｍｅｇａｚｙｍｅによって提供されるリアクティブブルー１９アゾ−ＣＭ−セルロースである
汚れ放出剤は、Ｒｅｐｅｌ−ｏ−ｔｅｘ（登録商標）ＳＦ２である
構造化剤は、水素化ヒマシ油である
ここで開示される寸法および値は、列挙されている正確な数値に厳密に限定されるものとして理解されるべきではない。それどころか、別段の定めがない限り、それぞれのそのような寸法は、列挙されている値とその値周辺の機能的に同等の範囲の両方を意味するように意図されている。たとえば、「４０ｍｍ」として開示されている寸法は、「約４０ｍｍ」を意味するように意図されている。
【０１３６】
あらゆる相互参照または関連特許または出願および本出願がその優先権または利益を主張するあらゆる特許出願または特許を含む、ここで引用されているすべての文書は、明示的に除外または別段限定されない限り、参照によりその全体がここに組み込まれる。任意の文書の引用は、それがここで開示されているまたは特許請求されている任意の発明に関わる先行技術であること、あるいはそれが単独でまたは任意の他の参考文献との任意の組合せで、任意のそのような発明を、教示する、示唆するまたは開示することの承認ではない。さらに、本文書における用語の任意の意味または定義が、参照により組み込まれる文書における同じ用語の任意の意味または定義と矛盾する限りでは、本文書においてその用語に割り当てられた意味または定義が優先するものとする。
【０１３７】
本発明の特定の態様を例証し記載してきたが、本発明の趣旨および範囲から逸脱することなく、種々の他の変更および修正が為され得ることが当業者には明らかであろう。したがって、添付の請求項において、本発明の範囲内であるすべてのそのような変更および修正を網羅することが意図されている。
【国際調査報告】
2020537008.tif 000027
2020537008.tif 000028
2020537008.tif 000029
2020537008.tif 000030